(57)【要約】  本明細書では、異種アクセスタイプの基地局（ＢＳ）を有するワイヤレスネットワークへのユーザ端末（ＵＴ）アクセスを可能にすることについて説明する。いくつかの態様では、異なるタイプのネットワークＢＳの探索および／またはアクセスを容易にするために、ＢＳパラメータ化が行われる。たとえば、パラメータは、ホームノードＢ（ＨＮＢ）展開において限定アクセス（ＲＡ）ＢＳを識別する可能性、またはそれに結合されたままである可能性を変更することができる。本開示の他の態様では、複数の領域ＩＤを備える、ＨＮＢ用に予約されたＰＬＭＮ  ＩＤが提供される。ＵＴがホーム領域を識別する場合、マクロＢＳよりもＨＮＢをプリファランスすることができる。さらに、ＵＴは、ＵＴへのアクセスを拒否するＨＮＢおよびＨＮＢ領域を追跡し、稠密なＨＮＢ展開において外部ＨＮＢへの急速なシグナリングを緩和するために遅延時間をインプリメントすることができる。このようにして、本開示は異種アクセスタイプネットワークにおけるより効率的なＵＴアクセスを提供する。  【選択図】    図３
2010541487.tif 000002
【特許請求の範囲】
【請求項１】
ワイヤレスネットワークにおいてモバイルアクセスを与える方法であって、
ネットワークアクセス要求を備えるワイヤレス信号を取得することと；
前記ネットワークアクセス要求を許可または拒否することと；
ユーザ端末（ＵＴ）が限定アクセス基地局（ＲＡ  ＢＳ）を取得しそれにアクセスする確率を上げるか、または前記ＵＴが前記ＲＡ  ＢＳのほうを優先して一般アクセス（ＧＡ）ＢＳにアクセスする確率を下げるＵＴパラメータのセットを送信することと；
を備える方法。
【請求項２】
前記ワイヤレスネットワークのセクタに優先度階層を送信することをさらに備え、前記優先度階層は１つのタイプのＢＳに対して別のＢＳタイプよりも高い優先度を示すか、または１つの周波数チャネルに対して別の周波数チャネルよりも高い優先度を示す、請求項１に記載の方法。
【請求項３】
前記優先度階層は階層セル構造（ＨＣＳ）であり、前記ＨＣＳまたは前記パラメータのセットのうちの少なくとも１つのパラメータが専用シグナリングを介して前記ＵＴに送信される、請求項２に記載の方法。
【請求項４】
低い相対しきい値を確立するパラメータを送信することをさらに備え、前記低い相対しきい値より下では、前記ＲＡ  ＢＳによってサービスされるＵＴが前記ワイヤレスネットワークの近接するセクタを探索する、請求項１に記載の方法。
【請求項５】
低い相対しきい値を確立するパラメータを送信することをさらに備え、前記低い相対しきい値より下では、前記ＲＡ  ＢＳによってサービスされるＵＴが前記ワイヤレスネットワークの近接するセクタを再選択する、請求項１に記載の方法。
【請求項６】
低い相対しきい値を確立するパラメータを送信することをさらに備え、前記低い相対しきい値より下では、前記ＲＡ  ＢＳによってサービスされるＵＴが前記ＧＡ  ＢＳと共通周波数を共有する近接するＲＡ  ＢＳセクタを探索する、請求項１に記載の方法。
【請求項７】
低い相対しきい値を確立するパラメータを送信することをさらに備え、前記低い相対しきい値より下では、前記ＲＡ  ＢＳによってサービスされるＵＴが前記ＧＡ  ＢＳによって利用される周波数とは異なる周波数の近接するＲＡ  ＢＳセクタを探索する、請求項１に記載の方法。
【請求項８】
高い相対しきい値を確立するパラメータを送信することをさらに備え、前記高い相対しきい値より下では、前記ＧＡ  ＢＳによってサービスされるＵＴがＲＡ  ＢＳを探索する、請求項１に記載の方法。
【請求項９】
前記ＵＴのＲＡ機能またはサブスクリプションステータスを示すＵＴプロファイルを取得することをさらに備え、
前記ＵＴがＲＡ許可ＵＴである場合、前記ＲＡ  ＢＳにアクセスまたはハンドオフする可能性を高めるパラメータのセットを送信することと；
前記ＵＴが非ＲＡ許可ＵＴである場合、前記ＲＡ  ＢＳへのシグナリングの可能性を低めるパラメータのセットを送信することと；
のうちの少なくとも１つをさらに備える、請求項１に記載の方法。
【請求項１０】
前記ＵＴプロファイルによって与えられる前記ＲＡ機能は、前記ＲＡ  ＢＳまたはＧＡ  ＢＳによって使用される周波数チャネルの優先度レベルを示し、前記優先度レベルは、前記周波数チャネル上の前記ＲＡ  ＢＳまたはＧＡ  ＢＳを探索する可能性に重み付けするために前記パラメータのセットのうちの少なくとも１つのパラメータによって使用される、請求項９に記載の方法。
【請求項１１】
前記ワイヤレスネットワークのセクタにおいて前記ＵＴのプロファイルを取得することと；
前記プロファイルから前記ＵＴのホーム領域ＩＤを識別することと；
前記セクタと前記ＵＴのホーム領域が共通の領域ＩＤを共有する場合、前記ＵＴのホームＰＬＭＮ  ＩＤの等価物として前記ワイヤレスネットワークのＲＡ  ＢＳ用に予約されたパブリックランドモバイルネットワーク（ＰＬＭＮ）識別子（ＩＤ）を確立することと；
をさらに備える、請求項１に記載の方法。
【請求項１２】
前記セクタが前記共通の領域ＩＤを共有する場合、ＢＳ獲得のために前記予約されたＰＬＭＮ  ＩＤを前記ＵＴに送信することと；
前記セクタが前記共通の領域ＩＤを共有しない場合、前記ＵＴへの前記予約されたＰＬＭＮ  ＩＤの送信を控えることと；
をさらに備える、請求項１１に記載の方法。
【請求項１３】
前記ＵＴのホーム領域ＩＤまたは限定加入者グループ（ＣＳＧ）ＩＤを取得することと；
前記ホーム領域ＩＤが前記セクタの領域ＩＤに一致しない場合、または前記ＣＳＧ  ＩＤが前記セクタのＣＳＧリストに含まれない場合、前記ネットワークアクセス要求を拒否することと；
をさらに備える、請求項１に記載の方法。
【請求項１４】
遅延時間を確立するパラメータを前記ＵＴに送信することをさらに備え、前記ＵＴは、前記遅延時間が満了するまで、
ＲＡ  ＢＳ用に予約されたＰＬＭＮ  ＩＤを有するセクタに登録することと；
ＲＡ  ＢＳ用に予約された周波数上でセクタを探索することと；
のうちの少なくとも１つを控える、請求項１３に記載の方法。
【請求項１５】
ネットワークアクセス要求を備えるワイヤレス信号を取得するトランシーバと；
前記ネットワークアクセス要求を許可または拒否する登録モジュールと；
ユーザ端末（ＵＴ）が限定アクセス基地局（ＲＡ  ＢＳ）を取得しそれにアクセスする確率を上げるか、または前記ＵＴが一般アクセス（ＧＡ）ＢＳにアクセスする確率を下げるＵＴパラメータのセットを送信するために前記トランシーバを使用する選択的アクセスモジュールと；
を備える基地局。
【請求項１６】
前記パラメータのセットは前記ＵＴ用に構成された優先度階層を備え、前記優先度階層は、
前記ＵＴがＲＡ対応である場合、ＲＡ  ＢＳのアクセス優先度がＧＡ  ＢＳよりも高いことと；
前記ＵＴがＲＡ対応でない場合、ＧＡ  ＢＳのアクセス優先度がＲＡ  ＢＳよりも高いことと；
のうちの少なくとも１つを示す、請求項１５に記載の基地局。
【請求項１７】
前記優先度階層は階層セル構造（ＨＣＳ）であり、前記選択的アクセスモジュールは、専用シグナリングを介して前記ＨＣＳまたは前記パラメータのセットのうちの少なくとも１つのパラメータを前記ＵＴに送信する、請求項１６に記載の方法。
【請求項１８】
前記パラメータのセットは、低い相対しきい値を確立する少なくとも１つのパラメータを備え、前記低い相対しきい値より下では、前記ＲＡ  ＢＳによってサービスされるＵＴが前記ワイヤレスネットワークの他のセクタを探索する、請求項１５に記載の基地局。
【請求項１９】
前記パラメータのセットは、低い相対しきい値を確立する少なくとも１つのパラメータを備え、前記低い相対しきい値より下では、前記ＲＡ  ＢＳによってサービスされるＵＴが前記ワイヤレスネットワークの別のセクタをアクティブなハンドオフセットに追加する、請求項１５に記載の基地局。
【請求項２０】
前記パラメータのセットは、低い相対しきい値を確立する少なくとも１つのパラメータを備え、前記低い相対しきい値より下では、前記ＲＡ  ＢＳによってサービスされるＵＴが前記ＧＡ  ＢＳと共通周波数を共有する他のＲＡ  ＢＳを探索する、請求項１５に記載の基地局。
【請求項２１】
前記パラメータのセットは、高い相対しきい値を確立する少なくとも１つのパラメータを備え、前記高い相対しきい値より下では、前記ＧＡ  ＢＳによってサービスされるＵＴがＲＡ  ＢＳを探索する、請求項１５に記載の基地局。
【請求項２２】
前記パラメータのセットは、低い相対しきい値を確立する少なくとも１つのパラメータを備え、前記低い相対しきい値より下では、前記ＲＡ  ＢＳによってサービスされるＵＴが前記ＧＡ  ＢＳによって利用される周波数とは異なる周波数の近接するＲＡ  ＢＳを探索する、請求項１５に記載の基地局。
【請求項２３】
前記ＵＴのＲＡ  ＢＳ機能を示すＵＴプロファイルを取得するデータ照会モジュールをさらに備え、前記選択的アクセスモジュールは、
前記ＵＴがＲＡ対応ＵＴである場合、前記ＲＡ  ＢＳを取得しそれにアクセスする可能性を高めるように、前記送信されたパラメータのセットを構成することと；
前記ＵＴが非ＲＡ対応ＵＴである場合、前記ＲＡ  ＢＳへのシグナリングの可能性を低めるように、前記送信されたパラメータのセットを構成することと；
のうちの少なくとも１つを行う、請求項１５に記載の基地局。
【請求項２４】
前記ＵＴプロファイルによって与えられる前記ＲＡ機能は、前記ＲＡ  ＢＳまたはＧＡ  ＢＳによって使用される周波数チャネルの優先度レベルを示し、前記優先度レベルは、前記周波数チャネル上の前記ＲＡ  ＢＳまたはＧＡ  ＢＳを探索する可能性に重み付けする前記パラメータのセットのうちの少なくとも１つのパラメータによって使用される、請求項２３に記載の基地局。
【請求項２５】
前記ＵＴのプロファイルを取得するデータ照会モジュールと；
前記ＢＳと前記ＵＴのホーム領域が共通の領域ＩＤを共有する場合、前記プロファイルから前記ＵＴのホーム領域ＩＤを識別し、前記ＵＴのホームＰＬＭＮ  ＩＤの等価物としてＲＡ  ＢＳ用に予約されたＰＬＭＮ  ＩＤを確立する分析モジュールと；
をさらに備える、請求項１５に記載の基地局。
【請求項２６】
前記選択的アクセスモジュールは、
前記ＢＳが前記共通の領域ＩＤを共有する場合、ＢＳ獲得のために前記予約されたＰＬＭＮ  ＩＤを前記ＵＴに送信するために前記トランシーバを使用し；
前記ＢＳが前記共通の領域ＩＤを共有しない場合、前記ＵＴへの前記予約されたＰＬＭＮ  ＩＤの送信を控える；
請求項２５に記載の基地局。
【請求項２７】
前記ＵＴのプロファイルから前記ＵＴのホーム領域ＩＤまたはＣＳＧ  ＩＤを取得する分析モジュールをさらに備え、前記ホーム領域ＩＤが前記セクタの領域ＩＤに一致しない場合、または前記ＣＳＧ  ＩＤが前記セクタのＣＳＧリストに含まれない場合、前記登録モジュールは前記ネットワークアクセス要求を拒否する、請求項１５に記載の基地局。
【請求項２８】
前記パラメータのセットは、指定された遅延期間の間、前記ＵＴに、
ＲＡ  ＢＳ用に予約されたＰＬＭＮ  ＩＤを有するセクタに登録することと；
ＲＡ  ＢＳ用に予約された周波数上でセクタを探索することと；
のうちの少なくとも１つを控えさせる、請求項２７に記載の基地局。
【請求項２９】
ワイヤレスネットワークにおいてモバイルアクセスを与える装置であって、
ネットワークアクセス要求を備えるワイヤレス信号を取得するための手段と；
前記ネットワークアクセス要求を許可または拒否するための手段と；
ユーザ端末（ＵＴ）が限定アクセス基地局（ＲＡ  ＢＳ）を取得しそれにアクセスする確率を上げるか、または前記ＵＴが一般アクセス（ＧＡ）ＢＳにアクセスする確率を下げるＵＴパラメータのセットを送信するための手段と；
を備える装置。
【請求項３０】
ワイヤレスネットワークにおいてモバイルアクセスを与えるように構成された少なくとも１つのプロセッサであって、
ネットワークアクセス要求を備えるワイヤレス信号を取得するように構成された第１のモジュールと；
前記ネットワークアクセス要求を許可または拒否するように構成された第２のモジュールと；
ユーザ端末（ＵＴ）が限定アクセス基地局（ＲＡ  ＢＳ）を取得しそれにアクセスする確率を上げるか、または前記ＵＴが一般アクセス（ＧＡ）ＢＳにアクセスする確率を下げるＵＴパラメータのセットを送信するように構成された第３のモジュールと；
を備えるプロセッサ。
【請求項３１】
コンピュータ可読媒体を備えるコンピュータプログラム製品であって、前記コンピュータ可読媒体は、
コンピュータに、ネットワークアクセス要求を備えるワイヤレス信号を取得させるためのコードの第１のセットと；
前記コンピュータに、前記ネットワークアクセス要求を許可または拒否させるためのコードの第２のセットと；
前記コンピュータに、ユーザ端末（ＵＴ）が限定アクセス基地局（ＲＡ  ＢＳ）を取得しそれにアクセスする確率を上げるか、または前記ＵＴが一般アクセス（ＧＡ）ＢＳにアクセスする確率を下げるＵＴパラメータのセットを送信させるためのコードの第３のセットと；
を備える、コンピュータプログラム製品。
【請求項３２】
ワイヤレスネットワークにアクセスする方法であって、
ワイヤレスネットワーク基地局（ＢＳ）によって送信されたワイヤレス信号を受信することと；
前記ワイヤレスネットワークとインターフェースするために限定アクセス（ＲＡ）ＢＳまたは一般アクセス（ＧＡ）ＢＳを使用する確率に重み付けするように構成されたパラメータのセットを取得することと；
前記ネットワークとの通信を実施するために前記パラメータのセットを使用することと；
を備える方法。
【請求項３３】
前記パラメータのセットから優先度階層を取得することと、前記優先度階層およびＵＴのＲＡ機能に基づいて、ＲＡ  ＢＳまたはＧＡ  ＢＳを優先させるか、あるいはＲＡ  ＢＳまたはＢＳ  ＢＳによって使用される１つまたは複数の周波数チャネルを優先させることとをさらに備える、請求項３２に記載の方法。
【請求項３４】
低い相対しきい値を確立するパラメータを前記パラメータのセットから取得することをさらに備え、前記低い相対しきい値より下では、ＲＡ  ＢＳによってサービスされるＵＴが非ＲＡ  ＢＳを探索する、請求項３２に記載の方法。
【請求項３５】
低い相対しきい値を確立するパラメータを前記パラメータのセットから取得することをさらに備え、前記低い相対しきい値より下では、ＵＴが、ＧＡ  ＢＳによって使用される前記ワイヤレスネットワークの周波数を利用するＢＳを探索する、請求項３２に記載の方法。
【請求項３６】
高い相対しきい値を確立するパラメータを前記パラメータのセットから取得することをさらに備え、前記高い相対しきい値より下では、ＵＴが、ＲＡ  ＢＳによって使用される前記ワイヤレスネットワークの周波数を利用するＢＳを探索する、請求項３２に記載の方法。
【請求項３７】
前記ワイヤレスネットワークによってサービスされるＵＴのＲＡ機能を取得することをさらに備え、
前記ＵＴがＲＡ対応ＵＴである場合、ＲＡ  ＢＳを取得し、それにアクセスする可能性を高めるように、前記ＵＴのパラメータを調整することと；
前記ＵＴが非ＲＡ対応ＵＴである場合、前記ＲＡ  ＢＳの探索の可能性を低めるように、前記ＵＴのパラメータを調整することと；
のうちの少なくとも１つをさらに備える、請求項３２に記載の方法。
【請求項３８】
前記ＵＴがＲＡ対応である場合、前記ＢＳの領域ＰＬＭＮ  ＩＤおよびＲＡ  ＢＳ用に予約されたＰＬＭＮ  ＩＤを前記ＵＴのホームＰＬＭＮ  ＩＤの等価物として取得することと；
前記ワイヤレスネットワークにアクセスするために、前記予約されたＰＬＭＮ  ＩＤおよび前記領域ＰＬＭＮ  ＩＤを要求内で前記ＢＳに提出することと；
のうちの少なくとも１つをさらに備える、請求項３２に記載の方法。
【請求項３９】
前記ＢＳが前記ＵＴのホームＲＡ  ＢＳである場合、前記ＢＳへのアクセスを取得することと；
前記領域ＰＬＭＮ  ＩＤが前記ＵＴの前記ホーム領域ＩＤに一致しない場合、前記要求への拒否を取得することと；
のうちの少なくとも１つをさらに備える、請求項３９に記載の方法。
【請求項４０】
アクセスが取得された場合、前記領域ＰＬＭＮ  ＩＤを好適な領域ＩＤとして記録することと；
前記要求が拒否された場合、前記領域ＰＬＭＮ  ＩＤを除外された領域ＩＤとして記録することと；
のうちの少なくとも１つをさらに備える、請求項３９に記載の方法。
【請求項４１】
前記ＢＳの前記領域ＰＬＭＮ  ＩＤが前記好適な領域ＩＤである場合、しきい値を増加させることをさらに備え、前記しきい値より下では、前記ＵＴが、ＲＡ  ＢＳによって利用される前記ワイヤレスネットワークの周波数上でＢＳを探索するかまたはそれにアクセスする、請求項４０に記載の方法。
【請求項４２】
前記要求が拒否された場合、遅延期間の間、ＲＡ  ＢＳ用に利用される周波数上でのＢＳの探索を控えることをさらに備える、請求項４０に記載の方法。
【請求項４３】
ワイヤレスネットワークにアクセスするように構成されたユーザ端末（ＵＴ）であって、
ワイヤレスネットワーク基地局（ＢＳ）によって送信されたワイヤレス信号を取得するトランシーバと；
前記ワイヤレスネットワークとインターフェースするために限定アクセス（ＲＡ）ＢＳまたは一般アクセス（ＧＡ）ＢＳを使用する確率に重み付けするように構成されたパラメータのセットを取得する信号プロセッサと；
前記ネットワークとの通信を実施するために前記パラメータのセットを使用するアクセスモジュールと；
を備えるＵＴ。
【請求項４４】
前記信号プロセッサによって取得された優先度階層と前記ＵＴのＲＡ機能とに基づいて、ＲＡ  ＢＳまたはＧＡ  ＢＳを優先させるか、またはそのようなＢＳによって使用される周波数チャネルを優先させるＢＳプリファランスモジュールをさらに備える、請求項４３に記載のＵＴ。
【請求項４５】
前記信号プロセッサは、低い相対しきい値を確立するパラメータを前記パラメータのセットからさらに取得し、前記低い相対しきい値より下では、前記ＵＴがＲＡ  ＢＳによってサービスされる場合、前記ＵＴが非ＲＡ  ＢＳを探索する、請求項４３に記載のＵＴ。
【請求項４６】
前記信号プロセッサは、低い相対しきい値を確立するパラメータを前記パラメータのセットからさらに取得し、前記低い相対しきい値より下では、前記ＵＴが、ＧＡ  ＢＳによって使用される前記ワイヤレスネットワークの周波数を利用するＢＳを探索する、請求項４３に記載のＵＴ。
【請求項４７】
前記信号プロセッサは、高い相対しきい値を確立するパラメータを前記パラメータのセットからさらに取得し、前記高い相対しきい値より下では、前記ＵＴが、ＲＡ  ＢＳによって使用される前記ワイヤレスネットワークの周波数を探索する、請求項４３に記載のＵＴ。
【請求項４８】
前記信号プロセッサは前記ＵＴのＲＡ機能をさらに取得し、前記ＵＴは、
前記ＵＴがＲＡ対応ＵＴである場合、ＲＡ  ＢＳを取得しそれにアクセスする可能性を高めるように、前記ＵＴのパラメータを調整することと；
前記ＵＴが非ＲＡ対応ＵＴである場合、前記ＲＡ  ＢＳへのシグナリングの可能性を低めるように、前記ＵＴのパラメータを調整することと；
のうちの少なくとも１つを行うパラメータ化モジュールをさらに備える、請求項４３に記載のＵＴ。
【請求項４９】
前記ＵＴがＲＡ対応である場合、前記信号プロセッサは、前記ＢＳの領域パブリックランドモバイルネットワーク（ＰＬＭＮ）識別子（ＩＤ）およびＲＡ  ＢＳ用に予約されたＰＬＭＮ  ＩＤを、前記ＵＴのホームＰＬＭＮ  ＩＤの等価物としてさらに取得する、請求項４３に記載のＵＴ。
【請求項５０】
前記アクセスモジュールが、前記ワイヤレスネットワークにアクセスするために、前記予約されたＰＬＭＮ  ＩＤおよび前記領域ＰＬＭＮ  ＩＤを要求内で前記ＢＳに提出する、請求項４３に記載のＵＴ。
【請求項５１】
前記ＢＳが前記ＵＴのホームＲＡ  ＢＳである場合、前記領域ＰＬＭＮ  ＩＤを好適な領域ＩＤとして記録することと；
前記領域ＰＬＭＮ  ＩＤが前記ＵＴの前記ホーム領域ＩＤに一致しない場合、前記領域ＰＬＭＮ  ＩＤを除外された領域ＩＤとして記録することと；
のうちの少なくとも１つを行うアクセス追跡モジュールをさらに備える、請求項４４に記載のＵＴ。
【請求項５２】
前記ＢＳの前記領域ＰＬＭＮ  ＩＤが前記好適な領域ＩＤである場合、パラメータ化モジュールがしきい値を増加させ、前記しきい値より下では、前記ＵＴが、ＲＡ  ＢＳによって利用される前記ワイヤレスネットワークの周波数上でＢＳを探索するかまたはそれにアクセスする、請求項４５に記載のＵＴ。
【請求項５３】
遅延時間を確立するタイミングモジュールをさらに備え、前記要求が拒否された場合、前記アクセスモジュールは、遅延期間の間、ＲＡ  ＢＳ用に利用される周波数上でのＢＳの探索を控える、請求項４５に記載のＵＴ。
【請求項５４】
ワイヤレスネットワークにアクセスするための装置であって、
ワイヤレスネットワーク基地局（ＢＳ）によって送信されたワイヤレス信号を受信するための手段と；
前記ワイヤレスネットワークとインターフェースするために限定アクセス（ＲＡ）ＢＳまたは一般アクセス（ＧＡ）ＢＳを使用する確率に重み付けするように構成されたパラメータのセットを取得するための手段と；
ネットワークとの通信を実施するために前記パラメータのセットを使用するための手段と；
を備える装置。
【請求項５５】
ワイヤレスネットワークにアクセスするように構成された少なくとも１つのプロセッサであって、
ワイヤレスネットワーク基地局（ＢＳ）によって送信されたワイヤレス信号を受信するように構成された第１のモジュールと；
前記ワイヤレスネットワークとインターフェースするために限定アクセス（ＲＡ）ＢＳまたは一般アクセス（ＧＡ）ＢＳを使用する確率に重み付けするように構成されたパラメータのセットを取得するように構成された第２のモジュールと；
前記ネットワークとの通信を実施するために前記パラメータのセットを使用するように構成された第３のモジュールと；
を備えるプロセッサ。
【請求項５６】
コンピュータ可読媒体を備えるコンピュータプログラム製品であって、前記コンピュータ可読媒体は、
コンピュータに、ワイヤレスネットワーク基地局（ＢＳ）によって送信されたワイヤレス信号を受信させるためのコードの第１のセットと；
前記コンピュータに、前記ワイヤレスネットワークとインターフェースするために限定アクセス（ＲＡ）ＢＳまたは一般アクセス（ＧＡ）ＢＳを使用する確率に重み付けするように構成されたパラメータのセットを取得させるためのコードの第２のセットと；
前記コンピュータに、前記ネットワークとの通信を実施するために前記パラメータのセットを使用させるためのコードの第３のセットと；
を備える、コンピュータプログラム製品。
【発明の詳細な説明】
【米国特許法第１１９条に基づく優先権の主張】
【０００１】
本特許出願は、本出願の譲受人に譲渡され、参照により本明細書に明白に組み込まれる、２００７年１０月１日に出願された「METHODS, APPARATUS, AND SYSTEM FOR SUPPORTING ACCESS POINT BASE STATIONS WITHIN A WIRELESS WAN SYSTEM」と題する米国仮出願第６０／９７６，７３８号の優先権を主張する。
【同時係属特許出願の参照】
【０００２】
本特許出願は、本明細書と同時に出願され、本出願の譲受人に譲渡され、参照により本明細書に明白に組み込まれる、弁理士整理番号０８００７３（ＱＵＡＦＰ１３６６ＵＳ）を有する、Samer Zreiqらによる同時係属の米国特許出願「EQUIVALENT HOME ID FOR MOBILE COMMUNICATIONS」に関連する。
【技術分野】
【０００３】
以下の開示は、一般にワイヤレス通信に関し、より詳細には、制限されたアクセスポイント環境においてデバイスのリモートアクセスを管理することに関する。
【背景技術】
【０００４】
ワイヤレス通信システムは、様々なタイプの通信（たとえば、音声、データ、マルチメディアサービスなど）を複数のユーザに提供するために広く展開されている。加入ベースのサービスにより、ユーザは、サービスプロバイダのネットワークを介して様々な通信コンテンツにアクセスし、通信コンテンツを利用することができる。高速でマルチメディアのデータサービスの需要が急速に増大するにつれて、向上した性能をもつ効率的で堅牢な通信システムを実現することが課題となっている。
【０００５】
インターネットサービスプロバイダ（ＩＳＰ）によって提供される、デジタル加入者回線（ＤＳＬ）、ケーブル回線、ダイヤルアップ、または同様の接続など、従来の固定回線通信システムは、ワイヤレス通信の代替物であり、時々、競合通信プラットフォームである。しかしながら、近年、ユーザは固定回線通信の代わりにモバイル通信を使用し始めた。ユーザモビリティ、相対サイズの小さいユーザ装置（ＵＥ）、公衆交換電話ネットワークならびにインターネットへの容易なアクセスなど、モバイル通信システムのいくつかの利点により、そのようなシステムは非常に便利になり、したがって非常に普及した。ユーザが、従来、固定回線システムを通して取得していた通信サービスのためにモバイルシステムをより多く利用し始めるにつれて、帯域幅の増大、確実なサービス、高い音声品質および低価格の需要が高まっている。
【０００６】
現在定位置にあるモバイル電話ネットワークに加えて、新しい種類の小型基地局が現れた。これらの小型基地局は、低電力であり、一般に、固定回線通信を利用してモバイル事業者のコアネットワークに接続することができる。さらに、これらの基地局は、家庭、オフィス、共同住宅、民間レクリエーション施設などでパーソナル／プライベート用に分配して、屋内／屋外のワイヤレスカバレージをモバイルユニットに与えることができる。これらのパーソナル基地局は、一般に、アクセスポイント基地局として、または、代替的に、ホームノードＢユニット（ＨＮＢ）またはフェムトセルとして知られている。フェムトセル基地局はモバイルネットワーク接続の新しいパラダイムを与え、モバイルネットワークアクセスおよびアクセス品質の直接加入者制御を可能にする。
【発明の概要】
【０００７】
以下で、１つまたは複数の態様の基本的な理解を与えるために、そのような態様の簡略化した概要を提示する。この概要は、すべての企図される態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化した形で提示することである。
【０００８】
本開示は、異種アクセスタイプの基地局（ＢＳ）を有するワイヤレスネットワークへのユーザ端末（ＵＴ）アクセスを可能にすることを提供する。いくつかの態様では、異なるタイプのネットワークＢＳ間の移行を可能にするために、ＢＳパラメータ化(parameterization)が行われる。たとえば、ＵＴが、限定アクセス（restricted access;ＲＡ）ホームノードＢ（ＨＮＢ）または一般アクセス（general access; ＧＡ）マクロＢＳなど、特定のタイプのＢＳを探索する確率またはそれにハンドオフする確率を上げるまたは下げるようにパラメータを構成する。本開示の他の態様では、ＲＡ  ＢＳをＧＡマクロＢＳから区別するために、そのようなＲＡ  ＢＳに対してパブリックランドモバイルネットワーク（ＰＬＭＮ）識別子（ＩＤ）が提供される。したがって、ＵＴは、受信ワイヤレス信号がＲＡ  ＢＳにおいて発生したかどうかをＰＬＭＮ  ＩＤに基づいて識別する。さらなる態様によれば、ＲＡ  ＰＬＭＮに対してＲＡ領域ＩＤを確立し、ＵＴを特定のホーム領域に関連付ける。ＵＴは、ホーム領域に入ると、ＲＡ  ＢＳを探索し、ＲＡ  ＢＳへのアクセスを試みるＵＴは、ホーム領域にないとき、ＲＡ  ＢＳを無視して、非ホーム領域におけるシグナリングオーバーヘッドを低減する。ホーム領域にあるとき、ＵＴは、失敗したアクセス試行および成功したアクセス試行を追跡し、後続のアクセス障害の可能性を低減し、ＵＴへのアクセスを許す後続のＲＡ  ＢＳの識別を可能にする。
【０００９】
さらなる態様によれば、ワイヤレスネットワークにおいてモバイルアクセスを与える方法が開示される。本方法は、ネットワークアクセス要求を備えるワイヤレス信号を取得することと、ネットワークアクセス要求を許可または拒否することとを備える。さらに、本方法は、ＵＴがＲＡ  ＢＳを取得し、ＲＡ  ＢＳにアクセスする確率を上げるか、またはＵＴがＲＡ  ＢＳのほうを優先してＧＡ  ＢＳにアクセスする確率を下げるＵＴパラメータのセットを送信することを備える。
【００１０】
他の態様によれば、ＢＳが提供される。ＢＳは、ネットワークアクセス要求を備えるワイヤレス信号を取得するトランシーバと、ネットワークアクセス要求を許可または拒否する登録モジュールとを備える。さらに、ＢＳは、ＵＴがＲＡ  ＢＳを取得し、ＲＡ  ＢＳにアクセスする確率を上げるか、またはＵＴがＧＡ  ＢＳにアクセスする確率を下げるＵＴパラメータのセットを、トランシーバを使用して送信する選択的アクセスモジュールを備える。
【００１１】
１つまたは複数の追加の態様によれば、ワイヤレスネットワークにおいてモバイルアクセスを与える装置が開示される。本装置は、ネットワークアクセス要求を備えるワイヤレス信号を取得するための手段と、ネットワークアクセス要求を許可または拒否するための手段とを備える。さらに、本装置は、ＵＴがＲＡ  ＢＳを取得し、ＲＡ  ＢＳにアクセスする確率を上げるか、またはＵＴがＧＡ  ＢＳにアクセスする確率を下げるＵＴパラメータのセットを送信するための手段を備える。
【００１２】
さらに別の態様によれば、ワイヤレスネットワークにおいてモバイルアクセスを与えるように構成されたプロセッサが開示される。本プロセッサは、ネットワークアクセス要求を備えるワイヤレス信号を取得する第１のモジュールと、ネットワークアクセス要求を許可または拒否する第２のモジュールとを備える。さらに、本プロセッサは、ＵＴがＲＡ  ＢＳを取得し、ＲＡ  ＢＳにアクセスする確率を上げるか、またはＵＴがＧＡ  ＢＳにアクセスする確率を下げるＵＴパラメータのセットを送信する第３のモジュールを備える。
【００１３】
１つまたは複数の他の態様では、コンピュータ可読媒体を備えるコンピュータプログラム製品が提供される。本コンピュータ可読媒体は、コンピュータに、ネットワークアクセス要求を備えるワイヤレス信号を取得させるためのコードの第１のセットと、コンピュータに、ネットワークアクセス要求を許可または拒否させるためのコードの第２のセットとを備える。さらに、本コンピュータ可読媒体は、ＵＴがＲＡ  ＢＳを取得し、ＲＡ  ＢＳにアクセスする確率を上げるか、またはＵＴがＧＡ  ＢＳにアクセスする確率を下げるＵＴパラメータのセットを送信するためのコードの第３のセットを備える。
【００１４】
本開示のさらなる態様によれば、ワイヤレスネットワークにアクセスする方法が開示される。本方法は、ワイヤレスネットワークＢＳによって送信されたワイヤレス信号を受信することと、ワイヤレスネットワークとインターフェースするためにＲＡ  ＢＳまたはＧＡ  ＢＳを使用する確率に重み付けするように構成されたパラメータのセットを取得することとを備える。さらに、本方法は、ネットワークとの通信を実施するためにパラメータのセットを使用することを備える。
【００１５】
他の態様では、ワイヤレスネットワークにアクセスするように構成されたＵＴが提供される。本ＵＴは、ワイヤレスネットワークＢＳによって送信されたワイヤレス信号を取得するトランシーバを備える。さらに、本ＵＴは、ワイヤレスネットワークとインターフェースするためにＲＡ  ＢＳまたはＧＡ  ＢＳを使用する確率に重み付けするように構成されたパラメータのセットを取得する信号プロセッサを備える。さらに、本ＵＴは、ネットワークとの通信を実施するためにパラメータのセットを使用するアクセスモジュールを備える。
【００１６】
さらなる態様によれば、ワイヤレスネットワークにアクセスするための装置が開示される。本装置は、ワイヤレスネットワークＢＳによって送信されたワイヤレス信号を受信するための手段と、ワイヤレスネットワークとインターフェースするためにＲＡ  ＢＳまたはＧＡ  ＢＳを使用する確率に重み付けするように構成されたパラメータのセットを取得するための手段とを備える。さらに、本装置は、ネットワークとの通信を実施するためにパラメータのセットを使用するための手段を備える。
【００１７】
上記に加えて、ワイヤレスネットワークにアクセスするように構成されたプロセッサが開示される。本プロセッサは、ワイヤレスネットワークＢＳによって送信されたワイヤレス信号を受信する第１のモジュールと、ワイヤレスネットワークとインターフェースするためにＲＡ  ＢＳまたはＧＡ  ＢＳを使用する確率に重み付けするように構成されたパラメータのセットを取得する第２のモジュールとを備える。さらに、本プロセッサは、ネットワークとの通信を実施するためにパラメータのセットを使用する第３のモジュールを備える。
【００１８】
少なくとも１つの他の態様では、コンピュータ可読媒体を備えるコンピュータプログラム製品が提供される。本コンピュータ可読媒体は、コンピュータに、ワイヤレスネットワークＢＳによって送信されたワイヤレス信号を受信させるためのコードの第１のセットと、コンピュータに、ワイヤレスネットワークとインターフェースするためにＲＡ  ＢＳまたはＧＡ  ＢＳを使用する確率に重み付けするように構成されたパラメータのセットを取得させるためのコードの第２のセットとを備える。上記に加えて、本コンピュータ可読媒体は、コンピュータに、ネットワークとの通信を実施するためにパラメータのセットを使用させるためのコードの第３のセットを備える。
【００１９】
上記および関連する目的を達成するために、１つまたは複数の態様は、以下で十分に説明し、特に特許請求の範囲で指摘する特徴を備える。以下の説明および添付の図面に１つまたは複数の態様のうちのいくつかの例示的な態様を詳細に記載する。ただし、これらの態様は、様々な態様の原理を使用することができる様々な方法のほんのいくつかを示すものであり、説明する態様は、すべてのそのような態様およびそれらの均等物を含むものとする。
【図面の簡単な説明】
【００２０】
【図１】主題の開示の態様による例示的なワイヤレス通信環境のブロック図。
【図２】他の態様による、異種(heterogeneous)アクセスポイント基地局を備える例示的なワイヤレスネットワークのブロック図。
【図３】１つまたは複数の他の態様による、フェムトセルパラメータ化を行う例示的なシステムのブロック図。
【図４】ＵＴをフェムトアクセスポイントまたはマクロアクセスポイントに導くための例示的なパラメータ化レコードのブロック図。
【図５】さらなる態様による、ＵＴ固有のパラメータ化を行うための例示的なシステムのブロック図。
【図６】他の態様による、フェムトＰＬＭＮおよびホーム領域を提供する例示的なワイヤレスネットワークのブロック図。
【図７】異種アクセスポイントワイヤレスネットワークにおいてモバイルアクセスを可能にする例示的な基地局のブロック図。
【図８】ワイヤレスネットワークの限定アクセス（ＲＡ）基地局と一般アクセス（ＧＡ）基地局とにアクセスするための例示的なＵＴのブロック図。
【図９】ワイヤレス通信において１つまたは複数の異種タイプの基地局へのＵＴアクセスに重み付けするための例示的な方法のフローチャート。
【図１０】異種アクセスポイント環境におけるＵＴアクセスポイントパラメータ化のための例示的な方法のフローチャート。
【図１１】ＲＡ基地局またはＧＡ基地局とインターフェースするための重み付きパラメータ化を使用するための例示的な方法のフローチャート。
【図１２】ＵＴのＲＡ機能に基づいてＵＴアクセス機能に重み付けするための例示的な方法のフローチャート。
【図１３】ＲＡおよびＧＡアクセスポイントワイヤレスネットワークのための重み付きパラメータ化を可能にする例示的なシステムのブロック図。
【図１４】ワイヤレスネットワークにアクセスするための重み付きワイヤレス通信パラメータ化を使用する例示的なシステムのブロック図。
【発明の詳細な説明】
【００２１】
次に、図面を参照しながら様々な態様について説明する。図面では、全体にわたって同様の要素を指すために同様の参照番号を使用する。以下の記述では、説明の目的で、１つまたは複数の態様の完全な理解を与えるために多数の特定の詳細を記載する。ただし、そのような（１つまたは複数の）態様は、これらの特定の詳細なしに実施できることは明らかであろう。他の例では、１つまたは複数の態様の説明を円滑にするために、よく知られた構造およびデバイスはブロック図の形態で示す。
【００２２】
さらに、本開示の様々な態様について以下で説明する。本明細書の教示は多種多様な形で実施でき、本明細書で開示する特定の構造および／または機能は代表的なものにすぎないことは明らかであろう。本明細書の教示に基づいて、本明細書で開示する態様は他の態様とは無関係に実現できること、およびこれらの態様のうちの２つ以上を様々な方法で組み合わせることができることを、当業者なら諒解されよう。たとえば、本明細書に記載の態様をいくつ使用しても、装置を実現し、および／または方法を実施することができる。さらに、本明細書に記載の態様のうちの１つまたは複数に加えて、あるいはそれら以外に、他の構造および／または機能を使用して装置を実現し、および／または方法を実施することができる。一例として、本明細書で説明する方法、デバイス、システムおよび装置の多くについて、異種ワイヤレスアクセスポイント環境において改善された基地局（ＢＳ）アクセスを実現する文脈で説明する。同様の技法が他の通信環境に適用できることを、当業者なら諒解されよう。
【００２３】
ワイヤレスアクセスネットワークへのホームノードＢ（ＨＮＢ）基地局（ＢＳ）の導入により、かなりの柔軟性がもたらされ、そのようなネットワークへのパーソナルアクセスに対するコンシューマ制御が可能になる。ワイヤレスリソースが時間とともに増加し、ユーザ端末の処理およびユーザインターフェース機能がより洗練されたので、ユーザは、モバイルデバイスを使用して、以前はパーソナルコンピュータおよび固定回線通信でのみ利用可能であった機能を実行することができる。高品質音声通信、インターネットアクセス、マルチメディアアクセスおよび再生、ならびにエンターテインメントのための小型ポータブルデバイスを使用する能力により、大いに望ましい消費者製品が得られる。しかしながら、マクロワイヤレスネットワークは、しばしば大規模な公共使用のために展開されるので、（たとえば、建築物、絶縁材、土地整備などによる無線周波信号の吸収により）屋内受信は、しばしば屋外受信よりも劣悪になる。ＨＮＢ技術は、パーソナルワイヤレス接続に対するかなりの制御をユーザに与え、しばしば、大部分またはすべての屋内接続の問題をなくす。したがって、ＨＮＢは、マクロネットワークの準最適環境においてもＵＴモビリティをさらに拡張することができる。
【００２４】
ＨＮＢ展開の著しい利点にもかかわらず、ＨＮＢを事業者のマクロネットワークに結合する際の複雑さが増したために、いくつかの問題が生じている。たとえば、ＨＮＢ展開は一般に無計画または半計画であり、これは、これらのＢＳがネットワーク事業者の制御外で設置されることを意味する。したがって、事業者は、他のそのようなアクセスポイントもしくはマクロＢＳに対するＨＮＢの理想的な配置を実現するか、他のアクセスポイントセルに対するＨＮＢのワイヤレス信号を成形するか、またはさらにはセルの正確な配置を知るための容量が制限される。さらに、ＨＮＢ展開がコンシューマの購買および設置にオープンである場合、高人口の都市エリアにおいて、そのようなセルの非常に稠密な設置が行われ、近くのＨＮＢおよびマクロセルの中でのワイヤレスリソース競合をもたらすことがある。さらに、ＨＮＢは、一般に限定加入者グループ（ＣＳＧ）に関連し、ＣＳＧのメンバーのみにネットワークアクセスを与え、たとえば、一般のセルラー利用者にはアクセスが与えられない。したがって、マクロネットワークの中のＨＮＢ展開は、限定アクセス（ＲＡ）ＢＳを一般アクセス（ＧＡ）ＢＳに統合する。
【００２５】
多数のレガシーモバイル端末は、ＧＡ  ＢＳとＲＡ  ＢＳを区別する能力がなく、したがって、サービスを結局拒否するＲＡ  ＢＳを探索し、ＲＡ  ＢＳへのアクセスを試みることにかなりの電力を費やすことがある。さらに、レガシー端末およびレガシーワイヤレスネットワーキング規格では、モバイル端末が最適な信号を特定するために着信ワイヤレス信号を走査する必要がある。端末が区別することができる近くのＢＳが少数しかない場合、これは、一般に実行可能なプロセスである。しかしながら、稠密なＨＮＢ展開では、非常に近接して（たとえば、大きい都市の共同住宅内に）数十または数百ものＨＮＢが存在することがある。ＵＴのホームＨＮＢであって、ＵＴがＣＳＧ中に含まれているＨＮＢが、稠密なＨＮＢ展開内にある場合、ホームＨＮＢを識別し、そのホームＨＮＢのパイロットおよび制御チャネルに（そのＨＮＢにキャンプして）焦点を合わせるという１つの問題が生じる。ＵＴがホームＨＮＢを含む領域中にない場合、ＨＮＢ信号を無視し、マクロネットワークに焦点を合わせることが問題になる。主題の開示は、ＲＡおよびＧＡ  ＢＳの統合展開または異種展開のための解決策を提供する。
【００２６】
上記の問題に対処するために、主題の開示の態様は、他のタイプよりも特定のタイプのＢＳを探索し、アクセスするようにＵＴに指示するための機構を提供する。そのような機構は、最も強い信号または最低の経路損失を有するセルを探索し、そのセルにキャンプおよび／またはハンドオフすることをＵＴに行わせるレガシーデフォルトを変更するように設計される。ＲＡ  ＢＳはＣＳＧのみにネットワークアクセスを与えるので、最も強い信号および／または最低の経路損失は、単独では、ネットワークセルを選択するための最良の基準ではない。したがって、本明細書で開示する変更されたセル選択および探索は、従来のデフォルトにＢＳタイプのプリファランス(preference)を組み込むことができる。さらに、開示する主題は、単一周波数またはマルチ周波数ワイヤレスネットワーク展開に利用することができる。
【００２７】
いくつかの態様によれば、ＵＴが、ＧＡ  ＢＳとは対照的にＲＡ  ＢＳを探索し、ＲＡ  ＢＳにアクセスする可能性、またはその逆の可能性を高めるようにネットワークはＵＴパラメータ化を与える。いくつかのそのような態様では、ネットワークにおいてＵＴの機能を取得し、そのＵＴまたはあるタイプのＵＴ用のパラメータ化を構成する。たとえば、ＵＴがＲＡ対応(RA-capable)デバイスである（たとえば、ＨＮＢサブスクリプションを有し、１つまたは複数のＨＮＢのＣＳＧに属する）場合、ＲＡ  ＢＳを識別し、ＲＡ  ＢＳにアクセスし、キャンプし、および／またはハンドオフすることに向けて重み付けされたパラメータをＵＴに提供する。一方、ＵＴがＲＡ対応でない場合、代わりにＧＡ  ＢＳを識別し、ＧＡ  ＢＳにアクセスするなどに向けて重み付けされたパラメータをＵＴに提供する。
【００２８】
本開示の他の態様では、あるタイプのＢＳに有利または不利なようにＵＴプリファランスに重み付けするマルチ周波数パラメータ化も与えられる。たとえば、ＨＮＢおよびマクロセルが、異なる周波数を利用するか、または少なくとも１つのマクロまたはＨＮＢのみの周波数を有する場合、ネットワークは、たとえば、ＵＴ機能に応じてあるタイプまたは別のタイプの周波数に有利なプリファランスを確立することができる。そのようなプリファランスにより、ＵＴが、別のタイプのＢＳよりもあるタイプのＢＳを探索するか、またはそのタイプのＢＳにキャンプする可能性をより高められる。したがって、ＲＡ対応ＵＴはＨＮＢ  ＢＳおよび／またはＨＮＢ周波数のほうに向けて、ＵＴに関連するＨＮＢを発見する可能性を高めることができる。非ＲＡ対応ＵＴはマクロネットワークおよび／またはマクロ周波数のほうに向けて、ＨＮＢへのシグナリングを低減または除去し、関連しないＨＮＢからのアクセス拒否を減少させ、マクロおよびＨＮＢネットワークを適切に負荷分散させることができる。
【００２９】
主題の開示の他の態様は、ＨＮＢの稠密で無計画／半計画な展開においてシグナリングを低減することを提供する。そのような環境では、ＵＴは、１つのみまたは少数のＨＮＢ（たとえば、ホームＨＮＢ）のＣＳＧ中に含まれ、より多数のＨＮＢによって除外されることが典型的である。したがって、多数のＨＮＢが相対的に小さいエリア中に存在する場合、ＵＴは、ホームＨＮＢが発見できるまで様々な除外されたＨＮＢにシグナリングして多量の処理能力およびバッテリ寿命を費やす可能性がある。上記を説明する特定の例として、ユーザが、多数のＨＮＢを含む住宅地を通って運転している場合、ＵＴにおいて受信される最良の信号は常に変化するので、ＵＴが、急激に新しいセルを探索し、急激に新しいセルにハンドオフしようと試みることが生じる。そのようなシナリオでは、シグナリングオーバーヘッドおよびバッテリ寿命の枯渇が途方もなく大きくなる可能性がある。
【００３０】
上記の問題を改善するために、ＨＮＢ  ＢＳに対してフェムト（Femto）パブリックランドモバイルネットワーク（ＰＬＭＮ）識別子（ＩＤ）が定義される。各ＨＮＢは、そのＨＮＢを他のＨＮＢから区別するデータとともに、フェムトＰＬＭＮ  ＩＤをそのパイロット信号とともにブロードキャストする。ＵＴが、関連するホームＨＮＢを発見すると予想する領域中にない場合、フェムトＰＬＭＮ  ＩＤとこのＩＤを搬送しているすべての信号とを無視する。したがって、上記のユーザが自分以外の近隣で運転している場合、ＵＴは、フェムトＰＬＭＮ  ＩＤに関連するＨＮＢ信号および／または周波数チャネルを無視する。したがって、ＵＴは、ＲＡ  ＢＳよりもマクロネットワークＢＳを獲得する傾向を有する。しかしながら、ＵＴが、ホームＨＮＢに関連する領域中にある場合、上述のように、マクロネットワークＢＳ／周波数よりも、フェムトＰＬＭＮ  ＩＤをブロードキャストしているＢＳおよび／またはそのようなＢＳによって利用される周波数にプリファランスが与えられる可能性がある。したがって、ＵＴは、ＧＡマクロＢＳよりもＲＡ  ＢＳを獲得する傾向を有する。
【００３１】
他の態様によれば、ＵＴがＢＳにネットワークアクセスを要求し、そのアクセスが拒否された場合（たとえば、ＢＳが、ＵＴを含まないＣＳＧを有する場合）、ＵＴは、マクロＢＳ周波数に戻るか、および／またはペナルティ時間の間だけフェムトＰＬＭＮ  ＩＤを無視する。これにより、非ホームＲＡ  ＢＳによる拒否の連続、およびそれに関連するシグナリングオーバーヘッドの増加を弱めるかまたはなくすのを助けることができる（たとえば、ユーザが、ＨＮＢの稠密な展開を通って運転しているとき）。上記に加えて、ＵＴは、アクセス要求を拒否する（たとえば、フェムトＰＬＭＮ  ＩＤによって識別された）ＨＮＢのセルＩＤを記録して、そのＢＳへの後続のシグナリングを回避する。同様に、ＢＳは、ＵＴへのアクセスを与えるＨＮＢのセルＩＤを記録し、そのセルＩＤに対してプリファランスを与える。これらおよび同様の技法を使用することによって、ＵＴは、異種アクセスタイプＢＳの稠密で無計画な展開に関与する副作用を緩和しつつＨＮＢ技術を利用することができる。
【００３２】
本明細書で説明する技法は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、ＳＣ−ＦＤＭＡ（シングルキャリアＦＤＭＡ）および他のシステムなど、様々なワイヤレス通信システムに使用できる。「システム」および「ネットワーク」という用語は、しばしば互換的に使用される。ＣＤＭＡシステムは、ユニバーサル地上無線アクセス（ＵＴＲＡ）、ＣＤＭＡ２０００などの無線技術を実装することができる。ＵＴＲＡは広帯域ＣＤＭＡ（Ｗ−ＣＤＭＡ）およびＣＤＭＡの他の変形態を含む。ＣＤＭＡ２０００は、ＩＳ−２０００、ＩＳ−９５およびＩＳ−８５６規格をカバーする。ＴＤＭＡシステムは広域移動通信システム（ＧＳＭ）などの無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡはユニバーサル移動通信システム（ＵＭＴＳ）の一部である。ＬＴＥ（ロングタームエボリューション）は、Ｅ−ＵＴＲＡを使用するＵＭＴＳの今度のリリースであり、これは、ダウンリンク上ではＯＦＤＭＡを使用し、アップリンク上ではＳＣ−ＦＤＭＡを使用する。ＵＴＲＡ、Ｅ−ＵＴＲＡ、ＵＭＴＳ、ＬＴＥおよびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。
【００３３】
主題の開示で使用する「構成要素」、「システム」、「モジュール」などの用語は、ハードウェア、ソフトウェア、実行中のソフトウェア、ファームウェア、ミドルウェア、マイクロコード、および／またはそれらの任意の組合せなど、コンピュータ関連のエンティティを指すものとする。たとえば、モジュールは、プロセッサ上で動作するプロセス、プロセッサ、オブジェクト、実行可能ファイル、実行スレッド、プログラム、デバイス、および／またはコンピュータとすることができるが、これらに限定されない。１つまたは複数のモジュールがプロセスおよび／または実行スレッド内に常駐することができ、モジュールは、１つの電子デバイス上に配置すること、および／または２つ以上の電子デバイス間に分散させることが可能である。さらに、これらのモジュールは、様々なデータ構造を記憶している様々なコンピュータ可読媒体から実行することができる。これらのモジュールは、たとえば、１つまたは複数のデータパケット（たとえば、ローカルシステム、分散システム内の別の構成要素と対話する、および／またはインターネットなどのネットワーク上で信号を介して他のシステムと対話する１つの構成要素からのデータ）を有する信号に従ってローカルプロセスおよび／またはリモートプロセスを介して通信することができる。さらに、当業者なら諒解するように、本明細書で説明するシステムの構成要素またはモジュールは、それに関して説明する様々な態様、目的、利点などを達成することができるように追加の構成要素／モジュール／システムによって再構成および／または補完でき、所与の図に記載の正確な構成に限定されない。
【００３４】
さらに、様々な態様についてユーザ端末ＵＴに関して本明細書で説明する。ＵＴは、システム、加入者ユニット、加入者局、移動局、モバイル、モバイル通信デバイス、モバイルデバイス、リモート局、リモート端末、アクセス端末（ＡＴ）、ユーザエージェント（ＵＡ）、ユーザデバイス、またはユーザ装置（ＵＥ）などと呼ばれることもある。加入者局は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、または処理デバイスとのワイヤレス通信を可能にするワイヤレスモデムもしくは同様の機構に接続された他の処理デバイスとすることができる。
【００３５】
１つまたは複数の例示的な実施形態では、説明する機能は、ハードウェア、ソフトウェア、ファームウェア、ミドルウェア、マイクロコード、またはそれらの適切な組合せで実装することができる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、コンピュータ記憶媒体とハードウェア通信媒体とを含むコンピュータ可読ハードウェアと、ある場所から別の場所へのコンピュータプログラムの転送を可能にするソフトウェア、ミドルウェア、ファームウェア、マイクロコードおよび／またはハードウェア媒体を含む通信媒体とを備える。
【００３６】
本明細書で利用するコンピュータ記憶媒体は、コンピュータによってアクセスできる任意の物理媒体とすることができる。限定ではなく例として、そのような記憶媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置、スマートカード、およびフラッシュメモリデバイス（たとえば、カード、スティック、キードライブ．．．）、あるいは命令またはデータ構造の形態のプログラムコードを搬送または記憶するために使用でき、コンピュータによってアクセスできる任意の他の適切な媒体を備えることができる。ハードウェア通信媒体は、電気、機械および／または電気機械ハードウェアを少なくとも部分的に利用して、あるエンティティから別のエンティティへのコンピュータプログラムの転送を可能にする任意の適切なデバイスまたはデータ接続を含むことができる。一般に、データ接続は、正しくはコンピュータ可読媒体とも呼ばれる。たとえば、プログラム、ソフトウェアまたは他のデータが、同軸ケーブル、光ファイバケーブル、ツイストペア、デジタル加入者回線（ＤＳＬ）、通信バス構造、イーサネット（登録商標）、または赤外線、無線、およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれ、そのような媒体に関連する任意の適切なハードウェア構成要素は、ハードウェア通信媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、この場合、ディスク（disk）は、通常、データを磁気的に再生し、ディスク（disc）はデータをレーザで光学的に再生する。上記の組合せもコンピュータ可読媒体の範囲内に含めるべきである。
【００３７】
ハードウェア実装の場合、本明細書で開示する態様に関して説明する処理ユニットの様々な例示的な論理、論理ブロック、モジュール、および回路は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、個別ゲートまたはトランジスタ論理、個別ハードウェア構成要素、汎用プロセッサ、コントローラ、マイクロコントローラ、マイクロプロセッサ、本明細書で説明する機能を実行するように設計された他の電子ユニット、またはそれらの組合せの中で実装または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他の適切な構成としても実装できる。さらに、少なくとも１つのプロセッサは、本明細書で説明するステップおよび／または動作の１つまたは複数を実行するように動作可能な１つまたは複数のモジュールを備えることができる。
【００３８】
さらに、本明細書で説明する様々な態様または特徴は、標準のプログラミングおよび／またはエンジニアリング技法を使用した方法、装置、または製造品として実装できる。さらに、本明細書で開示する態様に関して説明する方法またはアルゴリズムのステップおよび／または動作は、直接ハードウェアで実施するか、プロセッサによって実行されるソフトウェアモジュールで実施するか、またはその２つの組合せで実施することができる。さらに、いくつかの態様では、方法またはアルゴリズムのステップおよび／または動作は、コンピュータプログラム製品に組み込むことができるデバイス可読媒体、機械可読媒体および／またはコンピュータ可読媒体上のコードおよび／または命令の少なくとも１つまたは任意の組合せもしくはセットとして常駐することができる。本明細書で使用する「製造品」という用語は、任意のコンピュータ可読デバイスまたは媒体からアクセス可能なコンピュータプログラムを包含するものとする。
【００３９】
さらに、「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。本出願および添付の特許請求の範囲で使用する「または」という用語は、排他的な「または」ではなく、包括的な「または」を意味するものとする。すなわち、別段の規定がない限り、または文脈から明白でない限り、「ＸはＡまたはＢを使用する」という表現は、自然な包括的置換のいずれかを意味するものとする。すなわち、ＸがＡを使用するか、ＸがＢを使用するか、またはＸがＡとＢの両方を使用する場合、「ＸはＡまたはＢを使用する」は上記の例のいずれの下でも満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００４０】
本明細書で使用する「推論する」または「推論」という用語は、概して、事象および／またはデータを介して捕捉される観察のセットから、システム、環境、および／またはユーザの状態を推理または推論するプロセスを指す。推論は、特定のコンテキストまたは動作を識別するために使用でき、あるいは、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、事象が時間的に緊切して相関するか否かにかかわらず、および事象およびデータが１つまたは複数の事象およびデータの発生源に由来するかどうかにかかわらず、観察された事象および／または記憶された事象データのセットから新しい事象または動作が構成される。
【００４１】
図面を参照すると、図１は、様々な開示する実施形態および態様を実装することができる、いくつかのユーザをサポートするように構成された例示的なワイヤレス通信システム１００を示す。図１に示すように、システム１００は、マクロセル１０２ａ、１０２ｂ、１０２ｃ、１０２ｄ、１０２ｅ、１０２ｆ、１０２ｇ（代替的に、マクロセル１０２ａ〜１０２ｇ）など、複数のセルの通信を可能にし、各セルは、対応するアクセスポイント（ＡＰ）１０４ａ、１０４ｂ、１０４ｃ、１０４ｄ、１０４ｅ、１０４ｆ、１０４ｇ（代替的に、ＡＰ１０４ａ〜１０４ｇ）によってサービスされる。各セル１０２ａ〜１０２ｇは、さらに１つまたは複数のセクタに分割できる。様々なＵＴ１０６ａ、１０６ｂ、１０６ｃ、１０６ｄ、１０６ｅ、１０６ｆ、１０６ｇ、１０６ｈ、１０６ｉ、１０６ｊ、１０６ｋ（代替的に、ＵＴ１０６ａ〜１０６ｋ）は、システム１００全体に分散している。各ＡＴ１０６ａ〜１０６ｋは、たとえば、ＡＴ（１０６ａ〜１０６ｋ）がアクティブかどうか、またはＡＴがソフトハンドオフ中であるかどうかに応じて、所与の時点において順方向リンク（ＦＬ）および／または逆方向リンク（ＲＬ）上の１つまたは複数のＡＰ１０４ａ〜１０４ｇと通信する。ワイヤレス通信システム１００は大きい地理的エリアにわたってサービスを提供することができ、たとえば、マクロセル１０２ａ〜１０２ｇは近傍の数個のブロックをカバーする。
【００４２】
図２は、ネットワーク環境内でアクセスポイントＢＳ（たとえば、ＨＮＢ）の展開を可能にする例示的な通信システム２００を示す。システム２００は、ＨＮＢ２１０を含む複数のアクセスポイントＢＳを含み、アクセスポイントＢＳの各々は、対応する小規模ネットワーク環境に設置される。小規模ネットワーク環境の例には、ユーザ居住地、事業所、屋内／屋外設備２３０などがある。ＨＮＢ２１０は、（たとえば、ＨＮＢ２１０に関連するＣＳＧ中に含まれる）関連するＵＴ２２０、または随意に（たとえば、ＨＮＢ２１０のＣＳＧ用に構成されていない）外来またはビジターＵＴ２２０にサービスするように構成できる。各ＨＮＢ２１０は、さらに、ＤＳＬルータ（図示せず）、あるいは、代替的に、ケーブルモデム、電力線を介したブロードバンド接続、衛星インターネット接続、または同様のブロードバンドインターネット接続（図示せず）を介してインターネット２４０とモバイル事業者コアネットワーク２５０とに結合される。
【００４３】
ＨＮＢ２１０を介したワイヤレスサービスを実装するために、ＨＮＢ２１０の所有者は、モバイル事業者コアネットワーク２５０を介して提供される、３Ｇモバイルサービスなどのモバイルサービスに加入する。また、ＵＥ２２０は、本明細書で説明する様々な技法を利用して、マクロセルラー環境および／または宅内小規模ネットワーク環境において動作することができる。したがって、少なくともいくつかの開示する態様では、ＨＮＢ２１０は任意の適切な既存のＵＥ２２０と後方互換性がある。さらに、マクロセルモバイルネットワーク２５０に加えて、ＵＥ２２０は、所定数のＨＮＢ２１０、特に、対応する（１つまたは複数の）ユーザ居住地、（１つまたは複数の）事業所、または屋内／屋外設備２３０内に常駐するＨＮＢ２１０によってサービスされ、マクロネットワーク２５０とのソフトハンドオーバ状態になることはない。本明細書で説明する態様は３ＧＰＰ用語を採用しているが、態様は、３ＧＰＰ技術（リリース９９［Ｒｅｌ９９］、Ｒｅｌ５、Ｒｅｌ６、Ｒｅｌ７）、ならびに３ＧＰＰ２技術（１ｘＲＴＴ、１ｘＥＶ−ＤＯ  Ｒｅｌ０、ＲｅｖＡ、ＲｅｖＢ）および他の知られている関連する技術にも適用できることを理解すべきであることを諒解されたい。
【００４４】
図３は、主題の開示の態様による、ＢＳのタイプまたはカテゴリに応じて好適な(preferred)探索またはハンドオフを可能にする例示的なシステム３００のブロック図を示す。プリファランスはＵＴ３０４の機能に依存し、ＵＴ３０４の位置、ネットワークの負荷、または同様のシステム実装ファクタに依存する。システム３００は、異種アクセスタイプの複数のワイヤレスアクセスポイントを備えることを諒解されたい。そのような環境では、指定されたタイプのアクセスポイントに対してＵＴプリファランスを可能にすることにより、負荷分散の効率化、（たとえば、特に稠密で無計画な配備における）シグナリングオーバーヘッドの低減、ＵＴに関連するホームＢＳを獲得する可能性の増大、またはホームＢＳが獲得された後でそのようなＢＳに接続されたままである能力の増大をもたらす。
【００４５】
システム３００はＢＳ３０２を備え、このＢＳ３０２は、異種タイプまたはカテゴリの近接するＢＳ（図示せず）のネットワーク中にある。異なるタイプ／カテゴリの基地局の例には、ＧＡもしくはＲＡ  ＢＳ、完全再使用もしくは部分再使用ＢＳ、高電力（たとえば、マクロセル）もしくは低電力（たとえば、ピコセル、フェムトセル）ＢＳ、またはそれらと同様のものもしくはそれらの組合せがある。ＢＳ３０２は、ＢＳ３０２によってサービスされる地理的エリアを用いてデータを送信するのに利用されるワイヤレストランシーバ３０６を備える。送信されるデータは、地理的エリア内の多くのまたはすべてのリモート端末デバイス（３０４）に関係するブロードキャストデータと、特定のＵＴ３０４またはそのようなデバイスのサブセットにデータを送信する選択的チャネルに送信されるユニキャストデータとを含む。ブロードキャストデータは一般に、捕捉および同期パイロット信号を含み、この捕捉および同期パイロット信号は、ＢＳ３０２によって送信されたデータを識別し、復号するのに利用される情報（たとえば、ＢＳ３０２のＩＤ、ＢＳ３０２に関連するＰＬＭＮ  ＩＤ、時間フレームおよびサブスロット同期タイミング、符号化チャネル用のスクランブリングコードなど）と、ＢＳ３０２と通信するためにＵＴ３０４の可変パラメータを構成するのに利用される制御チャネル情報とを含む。ユニキャストデータは、一般に、リモート端末に対して特有のトラフィックおよび制御チャネル情報を含む。選択的チャネルは、選択されたＵＴに情報を配信するページングチャネルおよび他の制御チャネルを含む。
【００４６】
好適なパラメータ化を示すための特定の一例として、ＢＳ３０２は、ＨＮＢなど、ＧＡマクロＢＳまたはＲＡ  ＢＳのいずれかとすることができるものと仮定する。ＢＳ３０２は、特定のタイプまたはカテゴリのＢＳを探索および／または獲得することをＵＴ３０４に指示するように構成されたパラメータ化方式を送信する選択的アクセスモジュール３０８を備える。したがって、たとえば、パラメータ化により、ＵＴ３０４がＧＡ  ＢＳよりもＲＡ  ＢＳを識別する可能性を高めることができ、またその逆も同様である。いくつかのそのような態様では、パラメータ化は、そのようなＢＳのタイプに応じてＢＳ３０２および近接するＢＳ（図示せず）に対する相対優先度階層(relative priority hierarchy)を与える。特に、優先度階層は、ＢＳ３０２がＲＡ  ＢＳである場合にＢＳ３０２に第１の優先度を与え、ＢＳ３０２がＧＡ  ＢＳである場合、第１の優先度とは異なる第２の優先度を与える。代替的に、または上記に加えて、優先度階層は、ネットワークＢＳによって使用される様々な周波数チャネルに相対優先度を割り当てる。また、高優先度ＢＳによって使用される周波数には高い相対優先度を与え、一方、高優先度ＢＳによってもっぱら使用される周波数には最高の優先度を与える。同様に、低優先度ＢＳが優勢である周波数には低い相対優先度を与え、低優先度ＢＳ用にもっぱら利用される周波数には最低の優先度を与える。随意に、優先度は、ＵＴ３０４のＲＡ機能に依存する。たとえば、ＵＴ３０４がＨＮＢサブスクリプションを有しない場合、優先度階層は、ＲＡ  ＢＳよりもＧＡ  ＢＳにより高い優先度を与えて、ＵＴ３０４がＲＡ  ＢＳではなくＧＡ  ＢＳにキャンプおよび／またはハンドオフする可能性を高める。そのような優先度階層の一例には、Ｗ−ＣＤＭＡネットワークにおいて使用される階層セル構造（ＨＣＳ）がある。階層セル構造という用語は、ＣＤＭＡの文脈では特定のパラメータとして利用されるが、本明細書および添付の特許請求の範囲では一般的な意味で使用し、ＢＳによって使用される周波数チャネルに対する優先度レベリングを含む、ネットワークのＢＳおよび／またはセル／セクタに対する任意の適切な優先度レベリングを指す。ＨＣＳは、ＢＳおよび周波数チャネルに対して共通の優先度レベリングを与えるか、またはＢＳおよびチャネルに対して別個の優先度レベルを与える。
【００４７】
上記に加えて、パラメータ化は、ＵＴ３０４が、ＵＴ３０４がサービスされているかまたはキャンプしているＢＳ（３０２）のタイプに応じて近接するＢＳを探索する可能性を変更するように構成される。信号強度および／または品質は、ＵＴ３０４の位置、ＢＳ負荷、近接するセル（図示せず）中のＢＳおよび／またはＵＴからの干渉、トポロジ干渉などとともに変化する可変エンティティであるので、特定のＢＳ３０２が特定の時点において最良の信号を供給することはありえない。ＵＴ３０４は、近接するＢＳ（３０２）の信号を探索し、分析して、入手可能な最良の（１つまたは複数の）信号を識別するように構成される。一部の態様では、探索を周期的に開始して、近接するＢＳの相対信号強度／品質の周期的変化を検出し、最良の信号特性を有するＢＳを識別する。他の態様では、探索は、ＵＴ３０４が現在キャンプまたはサービスされている信号がしきい値を下回る場合に開始される。より良好な信号を有する近接するＢＳは、アクティブなハンドオフセットに追加されるか、セルにキャンプするか、またはセルにハンドオフする。ＲＡ対応サービスのないＵＴ３０４では、この手順はデフォルトとして維持される。しかしながら、ＲＡ対応ＵＴ３０４は、ホームＨＮＢによってサービスされるときはかなりの恩恵を得ることができ、したがって、近接するセルがより良好な信号を提供する場合でさえホームＨＮＢ上に残ることを好む可能性がある。したがって、特にＨＮＢ対応ネットワークにおいてＨＮＢ対応ＵＴ（３０４）に対しては、最良の信号を探索し、獲得するデフォルトの規則を変更することが有用である。
【００４８】
変更されたＢＳ探索を実施するために、サービスしている／キャンプされた信号に関して最小限の信号強度および／または品質しきい値を与える探索パラメータが確立される。そのような信号がしきい値を下回る場合、ＵＴ３０４は、より良好な信号を有する近接するＢＳを探索する。信号がしきい値を上回ったままである場合は、ＵＴ３０４は、近接するＢＳを探索しない（または、たとえば、同じもしくはより高い優先度を有するＢＳのみを探索する）。特定のタイプのＢＳに対するプリファランスを実施するために、しきい値は、好適なＢＳタイプには相対的に低く設定し、および／または好適でなないＢＳタイプには相対的に高く設定する。したがって、ＵＴ３０４は、好適でないＢＳにキャンプしている／そのＢＳによってサービスされるときは、近くのＢＳからより強い信号を探索する可能性がより高くなり、好適なＢＳにキャンプしている／そのＢＳによってサービスされるときは、近くのＢＳを探索する可能性がより低くなる。いくつかの態様では、探索パラメータは、上述したＨＣＳ優先度と結合される。ＨＣＳおよび探索パラメータを結合することによって、受信信号の強度／品質が探索パラメータしきい値を上回る場合、ＵＴ３０４は、同じかまたはより高い優先度ＢＳ（３０２）のみを探索するように構成できる。しかしながら、強度／品質が探索パラメータしきい値を下回る場合、ＵＴ３０４は、より低い階層優先度レベルの近接するＢＳを探索する。
【００４９】
追加の態様では、変更されたＢＳ探索は、マルチ周波数ワイヤレスシステムのチャネル周波数に応じて実施される。したがって、たとえば、しきい値を有する周波数内および／または周波数間探索パラメータが確立され、そのしきい値より下では、ＵＴ３０４が、現在の信号（たとえば、サービング信号、キャンプされた信号）の周波数と比較して、それぞれ別個の周波数上でＢＳを探索する、および／または同じ周波数上で他のＢＳを探索する。ＢＳタイプ（たとえば、ＲＡ  ＢＳ）に対するプリファランスを実行するために、好適なタイプのＢＳには低い相対周波数内／周波数間探索パラメータが与えられ、好適でないタイプのＢＳには高い相対周波数内／周波数間探索パラメータが与えられる。したがって、好適なＢＳ（３０２）によってサービスされるとき、ＵＴ３０４は、他の周波数を、および／または他のＢＳについて当該の周波数内を探索しない傾向がある。また、好適でないＢＳによってサービスされるときは、ＵＴ３０４は、（たとえば、好適なＢＳ３０２を備える周波数を識別するために）他の周波数を探索する、および／または現在の周波数上で他のＢＳを探索する可能性がより高い。
【００５０】
代替的に、または上記に加えて、選択的アクセスモジュール３０８は、１つのＢＳ（３０２）から別のＢＳへのハンドオフを制御するパラメータを構成する。探索パラメータと同様に、ハンドオフパラメータに重み付けして、好適なＢＳ（３０２）へのハンドオフの可能性を高め、好適でないＢＳへの可能性を低めることができる。さらに、好適な／好適でないＢＳは、ＢＳのタイプまたはカテゴリ（たとえば、ＲＡ、ＧＡ）に応じて定義できる。さらに、好適な／好適でないことの定義は、ＵＴ３０４の機能に依存する。一例として、ＵＥ３０４が、第２のタイプでなく第１のタイプのＢＳに対して構成された場合、第１のタイプのＢＳを好適とするハンドオフ（ならびにＢＳ／周波数優先度階層および探索）パラメータをＵＥ３０４に転送する。同様に、ＵＥ３０４が、第２のタイプのＢＳからの好適なサービスに対して構成されるか、またはその好適なサービスを取得する場合は、第２のタイプのＢＳを好適とするパラメータをＵＥ３０４に転送する。さらに他の態様では、ＵＥ３０４が特定のプリファランスを有しない場合、マクロネットワークアクセスのデフォルトパラメータをＵＥ３０４に転送する。
【００５１】
ＵＴ３０４機能および／またはプリファランスは、様々な適切な方法で取得できることを諒解されたい。一例では、機能／プリファランスは、ホームロケーションレジスタ（ＨＬＲ、図示せず）によって送信されたユーザサブスクリプションプロファイルから取得される。他の例では、機能／プリファランスは、ＵＴ３０４のメモリ中に格納し、ＢＳ３０２に転送される。後者の場合、選択的アクセスモジュール３０８は、トランシーバ３０６を介して、上述のように１つまたは別のタイプのＢＳを随意にプリファランスして、デフォルトパラメータ化（パラメータ表示、パラメータ値）をブロードキャストし、次いで、ＵＴ３０４の機能／プリファランスがＢＳ３０２において取得された後、専用セットのパラメータをＵＴ３０４に送信する（３０６）。
【００５２】
上述のように、ＵＴ３０４において受信されたパラメータ化は、ＢＳおよび／またはワイヤレスチャネル探索、獲得、またはハンドオフ手順に関連して使用される。したがって、ＵＴ３０４は、ＢＳ３０２によって送信された信号にキャンプするか、またはＢＳ３０２を介してモバイルネットワークにアクセスしようと試みる。モバイルネットワークにアクセスするために、ＵＴ３０４は、ネットワークアクセスを要求し、ＵＴ３０４と、ＵＴ３０４に関連する加入者アカウントとを識別する情報を提出する。随意に、ＵＴ３０４に関連するホームＨＮＢへのアクセスを可能にするために、（たとえば、ＵＴ３０４がＨＮＢサブスクリプションを有する場合）ネットワークアクセス要求とともにＵＴ３０４のＣＳＧ識別子を含めることもできる。他の態様では、ＣＳＧ識別子は、ネットワーク事業者のＨＬＲから取得されたサブスクリプションプロファイル情報中に含めることができる。登録モジュール３１０は、サブスクリプションおよび／またはＣＳＧ識別子情報を使用して、ネットワークアクセスの要求を許可すべきかまたは拒否すべきかを決定する。ＢＳ３０２がＧＡ  ＢＳである場合、この許可すべきかまたは拒否すべきかの決定は、ＵＴ３０４が事業者とのサブスクリプションを有するかどうかに基づく。ＢＳ３０２がＲＡ  ＢＳである場合、この決定は、ＵＴ３０４が、事業者とのサブスクリプションを有し、なおかつＢＳ３０２に関連するＣＳＧ内に含まれるかどうかに基づく。アクセス要求が登録モジュール３１０によって承認された場合、ＵＴ３０４は、ボイスまたはデータコール、インターネットアクセスなどを含む通信サービスを開始および／または受信する。
【００５３】
図４は、ネットワークＢＳ４０６によってＵＴ４０２に送信される例示的なパラメータ化レコード４０４のブロック図を示す。パラメータ化レコード４０６は、ＢＳ４０２によってサービスされるワイヤレス通信ネットワークのセクタ内でＢＳ４０２によってＵＴ４０４にブロードキャストされる。主題の開示のいくつかの態様によれば、パラメータ化レコード４０６は、ＵＴ４０４が、特定のタイプのネットワークまたは特定のタイプのネットワークＢＳ（４０２）を探索し、獲得し、および／またはそのネットワークまたはネットワークＢＳ（４０２）にハンドオフする可能性に重み付けする、しきい値パラメータを与える。したがって、パラメータ化レコード４０６は、ＲＡ  ＢＳおよびＧＡマクロＢＳなどの異種アクセスタイプＢＳ（４０２）を備えるネットワーク中で、ＵＴ（４０４）を１つまたは他のタイプのＢＳに向けるために利用される。好適および／または好適でないＢＳ（４０２）の選択は、セクタ負荷、ＵＴ機能、セクタ間干渉などに基づく。
【００５４】
パラメータ化レコード４０６は、ワイヤレスアクセスネットワーク中でＢＳ４０８および近接するＢＳ（図示せず）の相対優先度を確立するＨＣＳパラメータ４０２を備える。ＨＣＳパラメータ４０８は、ＵＴ４０４のデフォルト探索パラメータを変更するためにセル探索パラメータ４１２に結合される。したがって、たとえば、ＨＣＳパラメータ４０８は、相対優先度（たとえば、数値的スケールなどの量的優先度、または高、中、低もしくは他の相対インジケータなどの質的優先度を備える）を、異なるアクセスタイプ、異なる再使用タイプ（たとえば、完全再使用、部分再使用など）、異なる送信電力（たとえば、５０ワットのマクロセル、２５ワットのマイクロセル、５ワットのピコセル、１ワットのフェムトセル、またはネットワークセルサイズと送信電力の何らかの他の適切な組合せ）、異なるアクセス技術（たとえば、ワイヤレスフィデリティー［ＷｉＦｉ］、ワールドワイドインターオペラビリティフォーマイクロウェーブアクセス［ＷｉＭＡＸ］、認可されたセルラー無線周波数）など、またはそれらの組合せのＢＳ（４０２）に与える。セル探索パラメータ４１２は、様々なタイプのＢＳ（４０２）の１つまたは複数の最小しきい値を確立して、（１つまたは複数の）しきい値より下では、ＵＴ４０４はＢＳタイプの第１のセットを探索し、（１つまたは複数の）しきい値より上では、ＵＴ４０４はＢＳタイプの第２のセットを探索する。いくつかの態様では、ＢＳタイプの（１つまたは複数の）セットはＨＣＳ優先度パラメータ４０８によって確立される。
【００５５】
上記の一例として、ＨＣＳパラメータ４０８は、任意の適切なタイプのＧＡ  ＢＳのための低優先度、部分再使用ＢＳ（たとえば、チャネルの帯域幅のすべてを使用する完全再使用ＢＳよりも効率的である、チャネルの帯域幅一部分のみを使用するマイクロまたはピコセル）のための中優先度、およびＨＮＢのための高優先度の３つの優先度を確立する。セル探索パラメータ４１２は、次いで（たとえば、ＧＡマクロセルＢＳなどの）低優先度ＢＳのための高い最小しきい値、中優先度ＢＳのための中程度の最小しきい値、および高優先度ＢＳのための低い最小しきい値を確立する。そのような場合では、ＵＴ４０４がサービスされるかまたはＨＮＢ上にキャンプしている場合、ＨＮＢの信号が低い最小しきい値を満たす限り、ＵＴ４０４は、他のＢＳを探索しないか、または随意に他の高優先度ＢＳをのみ探索する。しかしながら、ＵＴ４０４が中優先度の部分再使用ＢＳによってサービスされる場合、部分再使用ＢＳの信号が中程度の最小しきい値を満たす限り、ＵＴ４０４は、高優先度ＢＳをのみ探索するか、または随意にサービング部分再使用ＢＳよりも良い信号を有する他の中優先度ＢＳを探索する。サービングＢＳが低優先度ＢＳである場合、信号強度が高い最小しきい値を満たすならば、ＵＴ４０４は高または中優先度ＢＳを探索し、信号強度が高い最小しきい値を満たさないならば、任意の他の適切なＢＳを探索することになる。ＷＣＤＭＡネットワークにおけるＨＣＳパラメータ４０８およびセル探索パラメータ４１２の具体例は、それぞれＨＣＳ＿ＰＲＩＯパラメータおよびＳｓｅａｒｃｈＨＣＳパラメータである。ただし、主題の開示はＷＣＤＭＡネットワークおよびパラメータに限定されないことを諒解されたい。そうではなく、３ＧＰＰ  ＬＴＥ、ＵＭＢ、ＷｉＭＡＸ、ＵＭＴＳなど、類似したＢＳ優先度および探索パラメータを有する他の適切なワイヤレスネットワークシステムは、主題の開示の一部として企図される。
【００５６】
パラメータ化レコード４０６はまた、ＵＴ４１０のいくつかの機能を含むＵＥアクセスタイプ４０４パラメータを含む。機能は、ＵＴ４０４から、またはネットワーク事業者のＨＬＲ、または他の適切なネットワークデータソースから取得する。さらに、ＵＥアクセスタイプ４１０は、様々なＵＴ機能に対して構成され、パラメータ化レコード４０６中に含まれる、パラメータ４０８、４１２、４１４、４１６、４１８の複数のセットのうちの１つを選択する、選択的パラメータ化フラグとして利用される。したがって、前述の例を続けると、ＵＴ４０４のＵＥアクセスタイプがＧＡマクロネットワークのみである場合、前述の例に記載したパラメータの代わりに、ＨＣＳパラメータ４０８とセル探索パラメータ４１２の異なるセットをＵＴ４０４に与え、および／またはＵＴ４０４によって選択する。たとえば、ＨＣＳパラメータ４０８は、ＧＡマクロＢＳに高い優先度を与え、ＲＡ  ＢＳに低い優先度を与える。さらに、セル探索パラメータ４１２は、ＲＡ  ＢＳには高い最小しきい値を確立し、ＵＴ４０４が、ＲＡ  ＢＳによってサービスされるときに、そのようなＢＳを無視するか、または他のＢＳを探索する可能性を高め、ＧＡ  ＢＳには低い最小しきい値を確立する。異なるＵＴ機能と相関する他の適切な優先度および探索パラメータ構成が存在することがあることを諒解されたい。たとえば、異なるパラメータのセットをマルチモードＷｉＦｉ／セルラーＵＴ（４０４）のために確立し、他のアクセスポイントタイプ（たとえば、ＷｉＭＡＸ）と比較して、ＷｉＦｉアクセスポイント、セルラーアクセスポイント、または両方の優先度を確立する。
【００５７】
上記のパラメータに加えて、パラメータ化レコード４０６は、周波数探索パラメータ４１４と、モバイル選択パラメータ４１６と、近接セルパラメータ４１８とをさらに備える。ＷＣＤＭＡの文脈における上記のパラメータの例には、ＳＩＮＴＥＲＳＥＡＲＣＨパラメータ（たとえば、ネットワークの異なる利用可能な周波数チャネル間で探索する）、ＳＩＮＴＲＡＳＥＡＲＣＨパラメータ（たとえば、周波数チャネル内で探索する）、ならびにＱｈｙｓｔ１ＳおよびＱｏｆｆｓｅｔ１Ｓ，Ｎ（たとえば、別のＢＳにハンドオフするかまたは別のＢＳをアクティブなハンドオーバセットに追加するかどうかを決定する）がある。上記と同様の方式で、周波数探索パラメータ４１４、モバイルセル選択パラメータ４１６および近接セル選択パラメータ４１８が、ＨＣＳ優先度タイプごとに変動する最小しきい値とともに確立される。さらに、好適および好適でないパラメータ４１４、４１６、４１８のセットを、ＵＥアクセスタイプ４１０に応じて与えることができる。このようにして、たとえば、ＵＴ４０４がＲＡ対応である場合、パラメータ４１４、４１６、４１８は、ＨＮＢなどのＲＡ  ＢＳには低い最小しきい値を確立し、他のタイプのＢＳには中程度のおよび／または高い最小しきい値を確立する。そのような場合には、ＵＴ４０４は、周波数チャネル内および周波数チャネル間で探索し、ＲＡ  ＢＳにハンドオフする可能性が高く、ＲＡ  ＢＳにキャンプし／ＲＡ  ＢＳによってサービスされるままである可能性が高い。
【００５８】
図５は、ＵＴ特定情報に基づいてネットワークＢＳに選択的パラメータ化を与える例示的なシステム５００のブロック図を示す。本明細書で説明するように、ＵＴ情報は、ＵＴの機能に応じて様々なパラメータ化を構成するか、または様々なＵＴのパラメータのあらかじめ構成されたセットの中で選択するために使用される。したがって、システム５００は、レガシーＵＴ（たとえば、マクロのみのＵＴ）に対する後方互換性と、異種アクセスタイプＢＳを備えるネットワークにおけるデュアルモード、マルチモード、ＲＡ対応などのＵＴ用の専用サービスとを与えることができる。したがって、システム５００は、ＵＴがアクセス可能でないかまたはアクセス用に構成されていないＢＳへの無駄なまたは冗長なシグナリングを緩和し、また、ネットワーク中の異なるアクセスポイント間でＵＴを負荷分散することができる。そのような構成の結果により、有利なアクセスポイント（たとえば、ホームＨＮＢ、ＷｉＦｉルータ）の獲得の改善、ならびにＵＴ処理の低減、およびバッテリ寿命の向上をもたらすことができる。
【００５９】
システム５００はＢＳ５０２を備え、このＢＳ５０２は、モバイル通信事業者のコアネットワーク５１０とインターフェースすることができる任意の適切なＢＳであってよい。したがって、ＢＳ５０２は、インターネット（図示せず。前記の図２の２１０、２４０、２５０参照）などを介してコアネットワーク５１０（たとえば、３ＧＰＰコアネットワーク）に結合されたＧＡ  ＢＳ、ＷｉＭＡＸアクセスポイント、ＨＮＢまたはＷｉＦｉアクセスポイントを備える。ＢＳ５０２は、典型的には、ＢＳ５０２に結合されたネットワーク（５１０）のタイプを識別するネットワーク情報（たとえば、ネットワーク５１０の事業者を識別するＰＬＭＮ  ＩＤ）、ならびにＢＳ５０２を他のネットワークＢＳ（図示せず）から区別するＢＳ情報をブロードキャストする。いくつかの態様では、ネットワーク情報は、特定のタイプのネットワーク用に予約された専用ＰＬＭＮ  ＩＤを備える。たとえば、ＰＬＭＮ  ＩＤは、フェムトセルネットワークのＨＮＢ、ＷｉＦｉネットワークのＷｉＦｉアクセスポイント、ＷｉＭＡＸネットワークのＷｉＭＡＸアクセスポイント、またはコアネットワーク５１０にインターフェースすることが可能なアクセスポイントネットワークの他の適切なノードとして、ＢＳ５０２用に予約され、ＢＳ５０２を識別する。
【００６０】
ＵＴ（図示せず）からワイヤレス信号を取得すると、ＢＳ５０２は、ＢＳ５０２に関連する専用ＰＬＭＮ  ＩＤが信号に含まれているどうかを決定するために、信号を分析する。もしそうであれば、ＢＳ５０２は、ＵＴが専用ＵＴ（たとえば、ＲＡ対応ＵＴ）としてネットワークへのアクセスを試みていると仮定する。ＢＳ５０２は、そのような特殊なアクセスが許されるかどうかを決定するために、ＵＴの許可を試みる。したがって、たとえば、ＢＳ５０２がＨＮＢである場合、ＵＴがＣＳＧに含まれているかどうかを決定するために、ＢＳ５０２のＣＳＧを照合する。もしそうであれば、ＢＳ５０２およびコアネットワーク５１０への完全アクセスをＵＴに与える。そうでなければ、制限されたアクセスが与えられるか、またはアクセスは与えられない。
【００６１】
専用ＰＬＭＮ  ＩＤ情報に加えて、ＢＳ５０２は、ＵＴ（たとえば、モバイル加入者識別［ＭＳＩ］、国際モバイル加入者識別［ＩＭＳＩ］など）に関係する識別情報を抽出する。データ照会モジュール５０４は、ＵＴ識別情報を使用し、ローカルネットワークレジストリ５０６に加入者データを要求する。セルラーコンテキストでは、ローカルネットワークレジストリ５０６は、広域移動通信システム（ＧＳＭ）またはＵＭＴＳネットワークの移動交換センター（ＭＳＣ）／訪問客位置レジストリ（ＶＬＲ）、ＧＳＭにおけるサービング汎用パケット無線システム（ＧＰＲＳ）サポートノード（ＳＧＳＮ）、ＣＤＭＡまたはＷＣＤＭＡネットワークなどを備える。ＨＮＢ、ＷｉＦｉ、またはＷｉＭＡＸネットワークなど、他のアクセスポイントネットワークでは、ローカルネットワークレジストリは、ＭＳＣ／ＶＬＲまたはＳＧＳＮに類似したネットワーク装置を備えるか、または単にデータおよびネットワークインターフェースを格納して管理し、事業者のコアネットワークにアクセスして加入者情報を取得することを許可されたカードを処理するためのデータベースを備える。
【００６２】
データ照会モジュール５０４から加入者データの要求を取得すると、ローカルネットワークレジストリ５０６は事業者のコアネットワーク５０８にＵＴ識別情報を提出する。それに応答して、加入者ホームレジストリ５０８（たとえば、ＨＬＲ）はローカルネットワークレジストリ５０６に加入者プロファイル５１２を提供する。ローカルネットワークレジストリは、加入者プロファイル５１２から加入者データを抽出し、上記の照会に応答してこのデータをデータ照会モジュール５０４に転送する。
【００６３】
加入者データは、ＵＴにアクセスを許可すべきかどうか、どんなタイプのアクセスを許可するか、ＵＴにどんなタイプのサービスを提供できるかなどの決定に関係する加入者情報を識別するために、データを解析する分析モジュール５１４に提供される。そのような情報は、サービスプランタイプ、ＵＴのサブスクリプション情報、ＵＴのサービスプロバイダのＰＬＭＮ  ＩＤ、ＵＴに関連する適切な専用ＰＬＭＮ  ＩＤ、ＵＴのアクセス機能、ＵＴの音声および／またはデータサービス機能、ＵＴのマルチメディア機能などを含む。もし加入者情報が、ＵＴがＢＳ５０２へのアクセスを有するべきであることを示す場合、登録モジュール５１６はアクセスを承認し、ＢＳ５０２（たとえば、スクランブリングコード、トラフィックチャネル構成、および他の適切な通信パラメータを含む）との通信を行うための適切な情報を送信する。
【００６４】
主題の開示のいくつかの態様によれば、加入者プロファイル情報は、ＵＴに関連するホームＰＬＭＮ領域を含む。少なくとも１つの態様では、ホーム領域は、ＵＴのホームＨＮＢが存在する特定の地理的エリアまたはネットワークエリア（たとえば、特定のマクロセルまたはマクロセルのグループのカバレージエリア、特定の市町村、都市、郡、郡区など）を識別する。したがって、ＵＴがホームＰＬＭＮ領域内にあるとき、ＵＴは、ＵＴに関連するホームＨＮＢの位置を特定することを予期(expect)する。ＵＴがホームＰＬＭＮ領域内にない場合、ホームＨＮＢは予期されない。
【００６５】
ＵＴが指定されたホームＰＬＭＮ領域内にあるかどうかを決定するために、ＢＳ５０２はホームＰＬＭＮ領域をＢＳ５０２に関連する位置情報と比較する。もしＵＴがホームＰＬＭＮ領域内にあると決定された場合、ＨＮＢ  ＢＳに関連する専用ＰＬＭＮ  ＩＤがＵＴに送信される。特定の態様によれば、専用ＰＬＭＮ  ＩＤは、ＵＴの事業者ネットワークの等価ＰＬＭＮ  ＩＤとしてさらにリストされる。したがって、ＵＴは、次いで、あたかも事業者ＰＬＭＮ  ＩＤに関連するマクロＢＳであるかのように、専用ＰＬＭＮ  ＩＤをブロードキャストするＨＮＢの探索、ハンドオフ、キャンプなどを行う。かくして、ＵＴはＰＬＭＮ  ＩＤを事業者のＰＬＭＮ  ＩＤの等価物として扱う。
【００６６】
１つまたは複数の他の態様では、ＵＴがホームＰＬＭＮ領域内にあると決定された場合、本明細書で説明するように、ＢＳ５０２は、ＨＮＢを好適ＢＳとして確立するパラメータ化セットをさらに送信する。したがって、ＵＴがホームＰＬＭＮ領域においてＨＮＢをマクロネットワークの等価物と考えることができるだけでなく、ＵＴは、ＨＮＢを探索し、ＨＮＢにハンドオフし、ＨＮＢにキャンプしたまま／ＨＮＢによってサービスされたままである可能性が高くなる。したがって、ＵＴがそのホームＨＮＢを発見する確率が高くなる。一方、ＵＴがホームＰＬＭＮ領域内にないと決定された場合、専用ＰＬＭＮ  ＩＤはＵＴに送信されず、ＵＴに関連する事業者ＰＬＭＮ  ＩＤだけが提供される。したがって、専用ＰＬＭＮ  ＩＤをブロードキャストするＨＮＢはＵＴのホームＨＮＢでなく、したがって完全アクセスもいかなるアクセスもＵＴに提供しないと仮定できるので、ＵＴはそのようなＨＮＢを無視する。したがって、システム５００は、ホームＰＬＭＮ領域以外の領域でＨＮＢへのシグナリングを低減または除去することができ、ホームＰＬＭＮ領域内でＵＴがホームＨＮＢを発見する可能性を高めることもできる。
【００６７】
ホームＰＬＭＮ領域は、上記では単数形で説明したが、２つ以上の地理的領域またはネットワークエリアを含みうることが諒解されよう。したがって、たとえば、ＵＴが別々の専用ＰＬＭＮ  ＩＤ領域（たとえば、加入者居住地のある領域および加入者のオフィスのある別の領域）にある２つのＨＮＢのＣＳＧ内に含まれる場合、ホームＰＬＭＮ領域は両方の専用領域を含み、または専用領域は２つ以上の地理的エリアまたはネットワークカバレージエリア（たとえば、以下の図６を参照）を含むように定義される。したがって、ホームＰＬＭＮ領域は、個々の加入者に適合されるフレキシブルな識別子である。
【００６８】
図６は例示的なネットワーク環境６００のブロック図である。ネットワーク環境６００は、いくつかのネットワーク領域、６０８Ａ、６０８Ｂ、６０８Ｃ、６０８Ｄ（６０８Ａ〜６０８Ｄ）を備える。ネットワーク領域は、地理的エリア（たとえば、住宅地区、市町村、郡区、郡など）または位置登録エリア識別子（ＬＡＩ）またはルーティングエリア識別子（ＲＡＩ）などによって定義される。ネットワーク領域６０８Ａ〜６０８Ｄには、また、モバイル通信事業者の地上波アクセスポイント６０２（たとえば、基地局）を介して、ワイヤレス通信サービスが提供される。ネットワーク領域、ＬＡＩ、ＲＡＩなどは、モバイル通信事業者によってマクロネットワークカバレージ（６０２）の一部として定義される。
【００６９】
図示のように、ネットワーク環境６００は、少なくとも４つのネットワーク領域６０８Ａ〜６０８Ｄを備える。領域６０８Ａ〜６０８Ｄについては、ＵＴ６０４へのアクセス関係に応じて説明する。したがって、領域６０８Ａ〜６０８Ｄは、第１のホームＰＬＭＮ領域６０８Ａ、第１の外部ＰＬＭＮ領域６０８Ｂ、第２の外部ＰＬＭＮ領域６０８Ｃおよび第２のホームＰＬＭＮ領域６０８Ｄを備える。ホームＰＬＭＮ領域６０８Ａ、６０８Ｄは、ＵＴ６０４に関連する少なくとも１つのホームＨＮＢ６０６Ａ、６０６Ｂを含む。ホームＨＮＢ６０６Ａ、６０６Ｂは、ホームＨＮＢ６０６Ａ、６０６Ｂにアクセスする１組のＵＴ（６０４）を識別する情報を備えるＣＳＧを含む。ＣＳＧ内に含まれないＵＴには、制限されたネットワークアクセス／通信サービスのみが提供されるか、またはネットワークアクセス／通信サービスが提供されない。同様に、ＣＳＧ内に含まれるＵＴには、ＨＮＢ６０６Ａ、６０６Ｂによって与えられる完全アクセス／通信サービスが提供される。
【００７０】
ＵＴ６０４がネットワーク環境６００全体にわたって動いていくにつれて、通信サービスはマクロネットワークアクセスポイント６０２から取得される。しかしながら、ＵＴ６０４は、マクロネットワークアクセスポイント６０２と比較して、ホームＨＮＢ６０６Ａ、６０６Ｂから優遇的な(preferential)サービス（たとえば、増加した帯域幅、増加したデータ転送速度、より高いサービス品質、低減された料金プランなど）を取得する。さらに、ホームＨＮＢ６０６Ａ、６０６Ｂを利用することによって、マクロネットワーク負荷が低減される。したがって、可能な場合、ＵＴ６０４がホームＨＮＢからアクセスを取得することが有益である。レガシーネットワークパラメータの下で、ＵＴ６０４は、マクロＢＳ６０２と実質的に同様の方法でホームＨＮＢ６０６Ａ、６０６Ｂとインターフェースする。したがって、ＵＴ６０４は、最も強い信号を探索し、最も強いまたは最高品質の信号を与える、いずれかのＢＳ（６０２、６０６Ａ、６０６Ｂ）にキャンプし／アクセスを要求することができる。ＰＬＭＮ領域６０８Ａ〜６０８Ｄの外部にあるとき、マクロネットワークは、おそらく最良の信号を与え、典型的にＵＴ６０４によって選択される。しかしながら、ＵＴ６０４が、１つまたは複数のＨＮＢ（６０６Ａ、６０６Ｂ）を備えるＰＬＭＮ領域（６０８Ａ〜６０８Ｄ）の１つ内にある場合、近くのＨＮＢは遠くのマクロＢＳ６０２よりも、はるかに良好な信号特性を有する。したがって、ＵＴ６０４は、ＨＮＢを探索し、ＨＮＢにキャンプし、アクセスを要求する可能性が高くなる。ＨＮＢの展開は典型的にホームＨＮＢよりも、はるかに多くの外部ＨＮＢ（たとえば、ＵＴ６０４がＣＳＧ中に含まれない）を含むので、ＵＴ６０４は、最も強い近くの信号へのアクセスを試みる際に多数のアクセス拒否にさらされる。そのような結果は、著しい処理オーバーヘッドおよびＵＴ６０４のバッテリ寿命の低減をもたらす。
【００７１】
上記の問題を緩和するために、ネットワーク環境６００のＨＮＢ６０６Ａ、６０６Ｂに専用ＰＬＭＮ  ＩＤが割り当てられる。専用ＰＬＭＮ  ＩＤは、事業者ＰＬＭＮ  ＩＤの中で一意とし、したがってマクロネットワーク６０２のＰＬＭＮ  ＩＤとは別個である。さらに、ＨＮＢの領域は、事業者のネットワークの領域６０８Ａ〜６０８Ｄ（たとえば、ＬＡＩ領域、ＲＡＩ領域など）に一致するように随意に定義される。ＨＮＢワイヤレスサブスクリプションに加入すると、ＵＴ６０４は１つまたは複数のホームＰＬＭＮ領域６０６Ａ、６０６Ｄに関連付けられる。一般に、ＵＴ６０４が外部ＰＬＭＮ領域６０６Ｂ、６０６Ｃ内にあるとき、ＵＴ６０４は、専用ＰＬＭＮ  ＩＤを備える信号を無視する。したがって、近くの外部ＨＮＢの強い信号にアクセスを試みることに関連する余分のシグナリングを緩和することができる。しかしながら、ＵＴ６０４が（１つまたは複数の）ホームＰＬＭＮ領域６０６Ａ、６０６Ｄ内にあるとき、ネットワーク６００は専用ＰＬＭＮ  ＩＤを事業者のＰＬＭＮ  ＩＤの等価物としてＵＴ６０４に送信する。したがって、ホームＰＬＭＮ領域６０６Ａ、６０６Ｄ内で、ＵＴ６０４は、ＨＮＢ６０６Ａ、６０６Ｂ、ならびにマクロネットワーク６０２を探索し、それにアクセスを要求することができる。本明細書で説明するように、ネットワークは、ＵＴ６０４がマクロネットワークよりもＨＮＢを発見し、ＨＮＢにアクセスする可能性を高めるように構成されたパラメータをさらに提供することができる。したがって、ホームＰＬＭＮ領域６０６Ａ、６０６Ｄ内の外部ＨＮＢとは反対に、ＵＴ６０４がホームＨＮＢ６０６Ａ、６０６Ｄを発見するために必要とする平均時間を短縮することができる。
【００７２】
主題の開示の少なくともいくつかの態様では、本明細書で説明するパラメータ化に加えて、ＵＴ６０４は、ホームＰＬＭＮ領域６０８Ａ、６０８Ｄ内でのホームＨＮＢ６０６Ａ、６０６Ｂの検出を改善するように構成される。一例では、ＵＴ６０４は、ＵＴ６０４へのネットワークアクセスを拒否するＨＮＢのＩＤを記録し、そのＩＤを限定リストまたはブラックリスト中に含める。どのＨＮＢが限定されているかを「覚えている」ことによって、ＵＴ６０４は、限定リスト上のＨＮＢ  ＩＤへのシグナリングを回避して、シグナリングを低減し、バッテリ電力を節約する。上記に加えて、ＵＴ６０４は、ＵＴ６０４へのアクセスを可能にするホームＨＮＢ６０６Ａ、６０６ＢのＨＮＢ  ＩＤを記憶する。ホームＨＮＢ  ＩＤは優先リスト中に含め、ホームＨＮＢ  ＩＤを含む信号には、他の信号に勝る優先度が与えられる。（たとえば、本明細書で説明するように、ホームＨＮＢからの信号が少なくとも低い相対しきい値を上回る限り）ＵＴ６０４は、ホームＨＮＢ６０６Ａ、６０６Ｂにキャンプするかまたはアクセスを要求し、他のＢＳの信号を無視する。
【００７３】
図７は、主題の開示の態様による、ＢＳ７０２と１つまたは複数のＵＴ７０４（たとえば、モバイルデバイス）とを備える例示的なシステム７００のブロック図を示す。基地局７０２は、本明細書で説明するように、ＢＳタイプに応じてＵＴ７０４の探索および／またはアクセス優先度を重み付けするためのパラメータ化を行うように構成される。そのようなパラメータ化は、ＵＴ７０４がＢＳの１つのタイプを発見する／それにアクセスする可能性を高め、またはＵＴ７０４がＢＳの第２のタイプを発見する／それにアクセスする可能性を低める。いくつかの態様では、与えられるパラメータはＵＴ７０４の機能に基づく。
【００７４】
ＢＳ７０２（たとえば、アクセスポイント、．．．）は、１つまたは複数のＵＴ７０４から１つまたは複数の受信アンテナ７０６を介して（１つまたは複数の）信号および無線（ＯＴＡ）メッセージを受信する受信機７１０と、変調器７２６によって与えられたコード化／被変調ＯＴＡメッセージを１つまたは複数のＵＴ７０４に（１つまたは複数の）送信アンテナ７０８を介して送信する送信機７２８とを備える。受信機７１０は、受信アンテナ７０６から情報を受信し、さらに、（１つまたは複数の）ＵＴ７０４によって送信されたアップリンクデータを受信する信号受信者（図示せず）を備える。さらに、受信機７１０は、受信した情報を復調する復調器７１２に動作可能に連結される。復調されたシンボルはプロセッサ７１４によって分析される。プロセッサ７１４はメモリ７１６に結合され、このメモリ７１６は、基地局７０２によって提供される機能に関係する情報を記憶する。一例では、記憶される情報は、好適なおよび好適でないＢＳ（７０２）を確立するように構成されたパラメータのセットを備える。特に、記憶される情報は、本明細書で説明するように、ＧＡ  ＢＳに対してＲＡ  ＢＳを優先させるＨＣＳを確立し、相対優先度を設定するためにＵＴ７０４のＲＡ機能を使用するパラメータを備える。
【００７５】
さらに、プロセッサ７１４は選択的アクセスモジュール７２０に結合される。選択的アクセスモジュール７２０は、ＵＴ７０４がＲＡ  ＢＳを取得し、ＲＡ  ＢＳにアクセスする確率を上げるか、またはＵＴ７０４がＲＡ  ＢＳのほうを優先してＧＡ  ＢＳにアクセスする確率を下げるＵＴパラメータのセットを確立し、送信する。さらに、ＢＳ７０２は、ＵＴ７０４からのアクセス要求を取得し、アクセスを許可または拒否する登録モジュール７１８を備える。アクセスは、加入者プロファイル情報（たとえば、プロファイルがアクティブなサブスクリプションを含むかどうか）に基づくか、または、プロファイル情報が、ＢＳ７０２に関連するＣＳＧ中に含まれるかどうかに基づく。加入者プロファイル情報は、ネットワークデータストア（たとえば、ＶＬＲ）に結合し、加入者プロファイルから加入者データを取得するデータ照会モジュール７２２を介して取得される。特定の加入者情報は、加入者データを解析する分析モジュール７２４によって抽出される。分析モジュール７２４は、本明細書で説明するように、サブスクリプション情報、ＵＴ７０４に関連するＰＬＭＮ  ＩＤ、ＵＴ７０４に関連するホームＰＬＭＮ領域、ＵＴ機能（たとえば、ＲＡ対応、マルチモードなど）などを識別する。したがって、データ照会モジュール７２２および分析モジュール７２４は、登録モジュール７１８がＵＴ７０４へのアクセスを許可または拒否するのに必要とされる情報を取得する。
【００７６】
図８は、ワイヤレスＢＳ８０４とインターフェースするように構成できるＵＴ（たとえば、モバイルデバイス）８０２を備える例示的なシステム８００のブロック図である。ＵＴ８０２は、ワイヤレスネットワークの１つまたは複数のそのようなＢＳ８０４（たとえば、アクセスポイント）にワイヤレスに結合するように構成される。ＵＴ８０２は、当技術分野で知られているように、ＦＬチャネル上でＢＳ８０４からＯＴＡ信号を受信し、ＲＬチャネル上でＯＴＡ信号およびメッセージで応答する。さらに、ＵＴ８０２は、ＢＳ８０４によって送信されたＢＳ探索およびアクセスパラメータ化を取得する。パラメータ化は、本明細書で説明するように、ＢＳ８０４および近接するＢＳ（図示せず）のタイプ（たとえば、送信電力、アクセスタイプ、再使用タイプ）に基づき、および随意でＵＴ８０２のアクセス機能に基づく。
【００７７】
ＵＴ８０２は、信号を受信する少なくとも１つのアンテナ８０６（たとえば、入力インターフェースを備える送信受信機、またはそのような受信機のグループ）と、受信信号に対して典型的な動作（たとえば、フィルタ処理、増幅、ダウンコンバートなど）を行う（１つまたは複数の）受信機８０８とを含む。少なくともいくつかの態様によれば、（１つまたは複数の）プロセッサ８１２は、復調器８１０から受信された信号の部分を選択的に分析し、選択された基地局（８０４）または基地局のタイプに関連する同期および／または制御情報を取得する。一般に、アンテナ８０６および送信機８３２（トランシーバと総称される）は、（１つまたは複数の）基地局８０４とのワイヤレスデータ交換を可能にするように構成される。
【００７８】
アンテナ８０６および（１つまたは複数の）受信機８０８はまた、受信シンボルを復調し、復調されたシンボルを評価のために（１つまたは複数の）プロセッサ８１２に供給する復調器８１０に結合される。（１つまたは複数の）プロセッサ８１２は、ＵＴ８０２の１つまたは複数の構成要素（８０６、８０８、８１０、８１４、８１６、８１８、８２０、８２２、８２４、８２６、８２８）を制御および／または参照することを諒解されたい。さらに、（１つまたは複数の）プロセッサ８１２は、ＵＴ８０２の機能を実行することに関連する情報または制御を備える１つまたは複数のモジュール、アプリケーション、エンジンなど（８１６、８１８、８２２、８２４、８２６、８２８）を実行する。たとえば、そのような機能は、本明細書で説明するように、ＢＳ８０４に関連する事業者のＰＬＭＮ  ＩＤ、ＢＳ８０４の識別ＩＤ、専用ネットワークアクセスポイント（たとえば、ＨＮＢ、ＷｉＦｉアクセスポイント、ＷｉＭＡＸアクセスポイントなど）の等価ＰＬＭＮ  ＩＤに関して受信したワイヤレス信号をスキャンすること、好適でないＢＳタイプに勝る好適なＢＳタイプを確立し、識別するために探索および／またはアクセスパラメータ化を使用すること、あるいは同様の動作を含む。
【００７９】
ＵＴ８０２はさらに、（１つまたは複数の）プロセッサ８１２に動作可能に結合されたメモリ８１４を含む。メモリ８１４は、送信、受信などすべきデータと、リモートデバイス（８０４）とのワイヤレス通信を行うのに適した命令とを記憶する。さらに、メモリ８１４は、上記の（１つまたは複数の）プロセッサ８１２によって実行されるモジュール、アプリケーション、エンジンなど（８１６、８１８、８２２、８２４、８２６、８２８）を記憶することができる。ＵＴ８０２はさらに、ワイヤレスネットワークとインターフェースするためにＲＡまたはＧＡ  ＢＳ（８０４）を使用する確率を重み付けするように構成されたパラメータのセットを取得する信号プロセッサ８１６を備える。一態様では、信号プロセッサ８１６は、低い相対しきい値を確立するパラメータを取得し、そのしきい値より下では、ＵＴ８０２がＲＡ  ＢＳ（８０４）によってサービスされる場合、ＵＴ８０２は非ＲＡ  ＢＳを探索する。他の態様では、信号プロセッサ８１６は、低い相対しきい値を確立するパラメータを取得し、そのしきい値より下では、ＵＴ８０２は、ＧＡ  ＢＳによって使用されるワイヤレスネットワークの周波数を利用するＢＳを探索する。さらに他の態様によれば、信号プロセッサ８１６は、メモリ８１４中に記憶された、またはＢＳ８０４（たとえば、ネットワーク上に記憶された加入者プロファイルから）によって提供されるＵＴ８０２のＲＡ機能を取得する。パラメータ化モジュール８２６は、ＵＴパラメータを調整して、ＵＴがＲＡ対応である場合はＲＡ  ＢＳを取得しＲＡ  ＢＳにアクセスする可能性を高めるか、またはＵＴ８０２がＲＡ対応でない場合はＲＡ  ＢＳにシグナリングする可能性を下げるＲＡ機能を使用する。
【００８０】
シグナルプロセッサ８１６によって取得されたパラメータはアクセスモジュール８１８に供給され、このアクセスモジュール８１８は、アクセス、ハンドオフ、または他の判断のために分析信号を選択するのにそのパラメータを使用する。主題の開示のいくつかの態様では、ＵＴ８０２は、ＢＳタイプまたはカテゴリに応じてＢＳ（８０４）を優先順位付けするＢＳプリファランス（選好）モジュール８２２を備える。ＢＳタイプ／カテゴリは、本明細書で説明するように、アクセスタイプ、再使用タイプ、送信電力タイプなどを含む。特に、ＢＳプリファランスモジュール８２２は、受信ワイヤレス信号からＨＣＳを取得し、このＨＣＳによって与えられる種々のタイプのＢＳ（８０４）に対して相対優先度レベルを確立する。
【００８１】
さらなる態様によれば、信号プロセッサ８１６は、ＢＳの領域ＰＬＭＮ  ＩＤと、ＲＡ  ＢＳ用に予約されたＰＬＭＮ  ＩＤとを取得することができる。ＵＴ８０４が、領域ＰＬＭＮ  ＩＤによって定義されるホーム領域内にある場合、予約済みＰＬＭＮ  ＩＤは事業者のＰＬＭＮ  ＩＤの等価物として確立できる。そのような場合、アクセスモジュール８１８は、予約済みＰＬＭＮ  ＩＤに関連するＢＳにアクセスすることを可能にするために、予約済みＰＬＭＮ  ＩＤと領域ＰＬＭＮ  ＩＤとをＢＳ８０４に提出する。
【００８２】
他の態様では、ＵＴ８０２は、領域ＰＬＭＮ  ＩＤを好適なまたは好適でないＩＤとしてメモリ８１４中に記録するアクセス追跡モジュール８２４を備える。特に、ＢＳ８０４がＵＴのホームＲＡ  ＢＳ（たとえば、ホームＨＮＢ）である場合、ＰＬＭＮ  ＩＤは、セルアクセス履歴ファイル８２０中に有利なＩＤとして記録する。さもなければ、ＢＳ８０４が外部ＲＡ  ＢＳである場合、アクセス追跡モジュール８２４は、除外するＩＤとしてＰＬＭＮ  ＩＤをセルアクセス履歴ファイル８２０中に記録する。アクセスモジュール８１８は、履歴ファイル８２０を参照して、アクセス要求を特定のＢＳ（８０４）に提出すべきかどうかを判断する。除外するＩＤを含むＢＳは無視し、有利なＩＤを含むＢＳには高い探索／アクセス優先度を与える。さらに、パラメータ化モジュール８２６は、ＢＳの領域ＰＬＭＮ  ＩＤが有利な領域ＩＤである場合、しきい値を増大させ、このしきい値より下では、ＵＴは、ＲＡ  ＢＳによって利用されるワイヤレスネットワークの周波数上でＢＳ（８０４）を探索するかまたはそれにアクセスする。
【００８３】
特定の態様では、ＵＴ８０２はさらに、アクセス要求がＢＳ８０４によって拒否される場合に遅延時間を確立するタイミングモジュール８２６を備える。この遅延時間により、たとえば、外部ＨＮＢの稠密な配備においてＵＴ８０２が、多数のＲＡ  ＢＳに急速にシグナリングすることを防ぐことができる。そのような態様では、ＵＴ８０４は、非ホーム環境においてかなりのバッテリ電力を保つことができる。
【００８４】
上述のシステムについては、いくつかの構成要素、モジュールおよび／または通信インターフェースの間の相互作用に関して説明した。そのようなシステムおよび構成要素／モジュール／インターフェースは、本明細書中で指定された構成要素もしくは下位構成要素、指定された構成要素もしくは下位構成要素の一部、および／または追加の構成要素を含みうることを諒解されたい。たとえば、システムは、ＨＮＢ２１０、インターネット２４０、マクロネットワーク６０２、およびＵＴ８０２、またはこれらおよび他の構成要素の様々な組合せを含むことができる。下位構成要素は、親構成要素内に含まれるのではなく、他の構成要素に通信可能に結合された構成要素として実装することもできる。さらに、１つまたは複数の構成要素を組み合わせて、集約機能を提供する単一の構成要素にすることができることに留意されたい。たとえば、データ照会モジュール５０４は、単一の構成要素によって加入者プロファイル情報を照会し、その情報を分析することを可能にするためにデータ分析モジュール５１４を含むことができ、またその逆も同様である。構成要素はまた、特に本明細書に記載されていないが当業者に知られている１つまたは複数の他の構成要素と相互作用することもできる。
【００８５】
さらに、諒解されるように、開示した上記のシステムおよび下記の方法の様々な部分は、人工知能、または知識ベースもしくはルールベースの構成要素、下位構成要素、プロセス、手段、方法、または機構（たとえば、サポートベクターマシン、ニューラルネットワーク、エキスパートシステム、ベイズの信念ネットワーク、ファジー論理、データ融合エンジン、クラシファイヤなど）を含むか、またはそれらからなる。そのような構成要素は、特に、および本明細書ですでに説明したものに加えて、システムおよび方法の部分をより適応的ならびに効率的で知的にするために、それによって実行されるいくつかの機構またはプロセスを自動化することができる。
【００８６】
上記で説明した例示的なシステムに鑑みて、開示する主題に従って実施できる方法は、図９〜図１２のフローチャートを参照すればより良く諒解されよう。説明を簡単にするために、方法を一連のブロックとして図示および説明したが、いくつかのブロックは本明細書で図示および説明したブロックとは異なる順序で、および／または他のブロックと同時に行うことができるので、主張する主題はブロックの順序によって限定されないことを理解および諒解されたい。さらに、以下で説明する方法を実施するために、図示されたすべてのブロックが必要とされるわけではない。さらに、以下および本明細書の全体にわたって開示する方法は、そのような方法をコンピュータに移送および転送することを可能にする製造品に記憶することが可能であることをさらに諒解されたい。使用する製造品という用語は、任意のコンピュータ可読デバイス、キャリアに関連するデバイス、または記憶媒体からアクセス可能なコンピュータプログラムを包含するものとする。
【００８７】
図９に、ワイヤレス通信において１つまたは複数の異種タイプの基地局へのＵＴアクセスに重み付けするための例示的な方法９００のフローチャートを示す。９０２において、方法９００は、基地局によってサービスされるワイヤレスネットワークのセクタに基地局プリファランス（選好）パラメータ化を送信する。パラメータ化により、様々な基地局タイプの優先度レベルを示す、ワイヤレスネットワークの基地局の相対階層を確立することができる。一例では、パラメータ化により、ＲＡ基地局に対して高優先度を確立して、ＵＴがＲＡ基地局を取得しＲＡ基地局にアクセスする確率を上げるか、またはＧＡ基地局に対して低優先度を確立して、ＵＴがＧＡ基地局を取得しＧＡ基地局にアクセスする確率を下げる。他の例では、負荷分散、干渉低減などを実装するために、ＧＡ基地局には、ＲＡ基地局または他の基地局タイプ（たとえば、再使用基地局、小電力基地局）よりも高い優先度を与える。
【００８８】
９０４において、方法９００は、アクセス要求を備えるワイヤレス信号を取得する。アクセス要求は、信号を送信しているデバイスの識別情報を含む。さらに、この情報は、デバイスに関連するＰＬＭＮ  ＩＤまたは領域／ホームＰＬＭＮ  ＩＤを指定する。９０６において、方法９００は、要求中に与えられた識別情報に基づいてワイヤレスネットワークへのアクセスを許可または拒否する。一態様では、許可または拒否することは、識別情報がＣＳＧ中に含まれているかどうかに基づく。他の態様では、アクセスを許可または拒否することは、領域／ホームＰＬＭＮ  ＩＤが、受信基地局に関連するＩＤであるかどうかに基づく。したがって、ワイヤレスネットワークへのアクセスは、参照番号９０２で送信されたパラメータ化に与えられた受信情報を条件とする。
【００８９】
図１０は、異種アクセスポイント環境におけるＵＴアクセスポイントパラメータ化のための例示的な方法１０００のフローチャートである。１００２において、方法１０００は、ワイヤレスネットワークへのアクセス要求を備えるワイヤレス信号を取得する。１００４において、方法１０００は、ワイヤレス信号から要求元ＵＴのモバイルＩＤを取得する。１００６において、方法１０００は、要求元ＵＴのＰＬＭＮデータおよび／またはフェムト機能データを備えるプロファイル情報を取得する。プロファイル情報／機能データは、ＨＬＲなどのネットワークサーバから取得される。１００８において、方法１０００は、要求元ＵＴがフェムト基地局にアクセスするように構成されているかどうかを決定する。たとえば、プロファイル情報を参照して、要求元ＵＴが、アクティブなＨＮＢサブスクリプションに関連するかどうかを決定する。１００８において要求元ＵＴがフェムト対応であると決定された場合、方法１０００は１０１８に進む。他の場合、方法１０００は１０１０に進む。
【００９０】
１０１０において、方法１０００は、マクロ基地局を好適な基地局として確立するパラメータ化を送信する。１０１２において、受信基地局が一般アクセス基地局であるかどうかに関する決定を行う。受信基地局が一般アクセス基地局である場合、方法１０００は１０１６に進み、ワイヤレスネットワークへのアクセスを要求元ＵＴに許可する。他の場合、方法１０００は１０１４に進み、ワイヤレスネットワークへのアクセスを要求元ＵＴに対して拒否する。
【００９１】
１０１８において、方法１０００は、フェムト基地局用に予約されたＰＬＭＮ  ＩＤを、要求元ＵＴに関連するＰＬＭＮ  ＩＤと比較する。１０２０において、ＵＴのＰＬＭＮ  ＩＤが予約済みＰＬＭＮ  ＩＤに一致するかどうかに関する決定を行う。一致する場合、方法１０００は１０２２に進む。他の場合、方法１０００は１０１０に進む。１０２２において、方法１０００は、フェムト基地局を好適な基地局として確立するパラメータ化を送信する。１０２４において、受信基地局が要求元ＵＴのホーム基地局であるかどうかに関する決定を行う。受信基地局が要求元ＵＴのホーム基地局である場合、方法１０００は１０１６に進み、アクセスを要求ＵＴに許可する。他の場合、方法１０００は１０１４に進み、アクセスを要求元ＵＴに対して拒否する。
【００９２】
図１１は、ＲＡ基地局またはＧＡ基地局とインターフェースするための重み付きパラメータ化を使用するための例示的な方法１１００のフローチャートを示す。１１０２において、方法１１００はワイヤレス信号を受信する。１１０４において、方法１１００は、（１つまたは複数の）特定のタイプの基地局を好適な基地局として確立するワイヤレス信号からパラメータ化セットを取得する。たとえば、好適な基地局は、好適でない基地局と比較して優先度がより高い基地局として確立される。プリファランスを実行するために、パラメータ化は、好適な基地局タイプに結合されるときは低い相対探索しきい値を与え、そのしきい値より下では、ＵＴは他の基地局を探索し、および好適でない基地局タイプに結合されるときは高い相対探索しきい値を与える。探索しきい値により、ＵＴが、特定の周波数チャネル内の他の基地局を探索するか、または複数の周波数チャネルにわたって探索するか、またはその両方の可能性を変更する。さらに、パラメータ化は、好適な基地局タイプに結合されるときは低い相対ハンドオフしきい値を与え、そのしきい値より下では、ＵＴは他の基地局をアクティブなハンドオーバセットに追加するかまたはハンドオフを実施し、および好適でない（１つまたは複数の）基地局タイプに結合されるときは高い相対ハンドオフしきい値を与える。１１０６において、方法１１００は、パラメータ化を使用して、好適でない基地局の代わりに好適な基地局からのアクセスを探索し、そのアクセスにキャンプし、およびそのアクセスを要求するためにモバイルネットワークとインターフェースする。したがって、方法１１００は、特定の基地局タイプ間でネットワーク負荷分散を実施し、ＵＴが、好適でない基地局上で処理およびシグナリングリソースを消費する可能性を下げることができる。
【００９３】
図１２に、ＵＴのＲＡ機能に基づいてＵＴアクセス機能に重み付けするための例示的な方法１２００のフローチャートを示す。１２０２において、方法１２００は、ワイヤレスネットワークアクセスポイントからワイヤレス信号を取得し、このワイヤレス信号は、ワイヤレスネットワーク内でＵＴの探索および／またはアクセスパラメータを重み付けするように構成されたパラメータ化セットを備える。１２０４において、方法１２００は、ワイヤレス信号から一般アクセスまたは限定アクセス重み付けパラメータを抽出する。１２０６において、方法１２００は、ワイヤレス信号を受信しているＵＴの限定アクセス機能を決定する。１２０８において、方法１２００は、ＵＴが限定アクセス対応である場合、一般アクセス基地局よりも限定アクセス基地局に有利であるようにＵＴパラメータを重み付けする。有利なパラメータは、ＵＴが限定アクセス基地局にキャンプおよび／またはハンドオフする可能性を高めるようにＵＴのデフォルトの探索および／またはアクセス機能を変更する。１２１０において、方法１２００は、ネットワークＰＬＭＮ  ＩＤデータについてワイヤレス信号を分析する。ＰＬＭＮ  ＩＤデータは、限定アクセス基地局に関連する予約済みＰＬＭＮ  ＩＤと受信ＵＴに関連する（１つまたは複数の）領域ホームＰＬＭＮ  ＩＤとを含む、受信ＵＴに関連するＰＬＭＮ  ＩＤと比較される。１２１２において、方法１２００は、ＰＬＭＮ  ＩＤが、ＵＴに関連する予約済みＰＬＭＮ  ＩＤ、領域ＰＬＭＮ  ＩＤ、および／またはマクロＰＬＭＮ  ＩＤに一致する場合、そのようなＰＬＭＮ  ＩＤをブロードキャストしている基地局を探索し、および／またはその基地局にアクセスする。１２１４において、方法１２００は、ＵＴによるアクセス要求を拒否する基地局の領域および／またはセクタ情報を記録する。セクタ／領域を拒否することは、そのようなセクタへの後続のシグナリングを限定するために、除外リストに関連付けられる。さらに、１２１６において、方法１２００は、アクセス拒否の後、遅延期間の間だけマクロＰＬＭＮ周波数に戻る。マクロＰＬＭＮ周波数に戻ることは、高密度に実装された外部限定アクセス配備においてシグナリングの繰返しを回避するのに役立つ。
【００９４】
図１３および図１４に、少なくとも部分的にモバイルネットワークインターフェースを介してそれぞれリモートデバイスの制御を実施し、制御を可能にする例示的なシステム１３００、１４００のブロック図を示す。たとえば、システム１３００、１４００は、少なくとも部分的にワイヤレス通信ネットワーク内に、および／またはノード、基地局、アクセスポイント、ユーザ端末、モバイルインターフェースカードに結合されたパーソナルコンピュータなどの送信機内に常駐することができる。システム１３００、１４００は機能ブロックを含むように表されており、その機能ブロックは、プロセッサ、ソフトウェア、またはそれらの組合せ（たとえば、ファームウェア）によって実装される機能を表すものであることを諒解されたい。
【００９５】
システム１３００は、ネットワークアクセス要求を備えるワイヤレス信号を取得するための手段１３０２を備える。手段１３０２は、１つまたは複数の無線通信チャネルを介して通信するように構成されたワイヤレストランシーバを備える。さらに、システム１３００は、ネットワークアクセス要求を許可または拒否するための手段１３０４を備える。さらに、システム１３００は、ＵＴが、特定のタイプの基地局を探索し、および／またはその基地局にハンドオフする確率を上げるＵＴパラメータのセットを送信するための手段１３０６を備える。適切な基地局タイプには、制限または一般アクセスなどの異種アクセスタイプ基地局、完全再使用または部分再使用などの異種再使用タイプ基地局、高電力、中電力および／または低電力送信機などの送信電力基地局などが含まれる。特定の一態様では、手段１３０６は、ＵＴが限定アクセス基地局を取得し、その基地局にアクセスする確率を上げるか、またはＵＴが一般アクセス基地局にアクセスする確率を下げるパラメータのセットを送信する。上記に加えて、パラメータ化は、限定アクセス対応ＵＴなどの特定のＵＴに対して手段１３０２を使用して手段１３０６によって送信される。そのような態様では、システム１３００は、ＵＴが、ＵＴに関連するホーム限定基地局を識別し、その基地局にハンドオフすることができる可能性を高めることができる。
【００９６】
システム１４００は、ワイヤレスネットワーク基地局によって送信されたワイヤレス信号を受信するための手段１４０２を備える。手段１４０２は、アンテナと、受信信号をダウンコンバートするための受信機とを備える。さらに、システム１４００は、ワイヤレスネットワークのアクセスポイントに対する重み付き探索および／またはアクセス用に構成されたパラメータのセットを取得するための手段１４０４を備える。いくつかの態様では、手段１４０４は、ワイヤレスネットワークとインターフェースするために限定アクセスまたは一般アクセス基地局を使用する確率を重み付けするパラメータを抽出する。上記に加えて、システム１４００は、ネットワークとの通信を実施するためにパラメータのセットを使用するための手段１４０６を備える。たとえば、手段１４０６は、サービスしている／キャンプされた基地局の信号を分析し、パラメータによって確立されたしきい値とその信号を比較する。本明細書で説明するように、しきい値は、限定アクセスまたは一般アクセス基地局など、特定のタイプの基地局にプリファランスを与えるように重み付けされる。重み付けは、好適な基地局を発見することができるまで基地局を探索する可能性を高めるか、または好適な基地局が発見されるとそのような基地局に結合されたままである可能性を高める。代替または追加として、重み付けは、好適でない基地局を探索するか、または現在サービス中のもしくはモニタされている好適でない基地局に結合されたままである可能性を下げることができる。したがって、システム１４００により、ワイヤレスネットワーク基地局の１つまたは複数のタイプへのアクセス端末のネットワーク負荷分散およびプリファランス的配信が可能になる。
【００９７】
以上の説明は、請求する主題の態様の例を含む。もちろん、請求する主題について説明する目的で構成要素または方法のあらゆる考えられる組合せについて説明することは不可能であるが、開示した主題の多数のさらなる組合せおよび置換が可能であることを、当業者なら認識できよう。したがって、開示した主題は、添付の特許請求の範囲の趣旨および範囲内に入るすべてのそのような改変形態、変更形態および変形形態を包含するものとする。さらに、「含む（include）」、「有する（has）」、「有する（having）」という用語は、そのような用語が、発明を実施するための形態または特許請求の範囲のいずれかで使用される限り、「備える（comprising）」という用語が請求項における移行語として使用されるときの解釈と同様に包括的なものとする。
【図１】
2010541487.tif 000003
【図２】
2010541487.tif 000004
【図３】
2010541487.tif 000005
【図４】
2010541487.tif 000006
【図５】
2010541487.tif 000007
【図６】
2010541487.tif 000008
【図７】
2010541487.tif 000009
【図８】
2010541487.tif 000010
【図９】
2010541487.tif 000011
【図１０】
2010541487.tif 000012
【図１１】
2010541487.tif 000013
【図１２】
2010541487.tif 000014
【図１３】
2010541487.tif 000015
【図１４】
2010541487.tif 000016
【国際調査報告】
2010541487.tif 000017
2010541487.tif 000018